(57)【要約】ユーザ固有の変調シンボルスクランブリングは、様々なアップリンクセグメント、例えば、アップリンクトラヒック応答チャネル（uplink traffic acknowledgement channel; ULTACH）セグメント、アップリンク状態要求チャネル（uplink state request channel; ULSRCH）セグメントおよびアップリンク専用制御チャネル（uplink dedicated control channel; ULDCCH）セグメントに対して実行される。無線端末には無線端末スクランブリング識別子が割り当てられる。順序付けられた入力変調シンボルからなるセットは、ユーザ固有のスクランブリングが、それに対して適用されるアップリンク専用セグメントに対して決められる。上記割り当てられた無線端末スクランブリング識別子の１ビットは、所定のマッピングに従って、あるセグメントの順序付けられた入力変調シンボルの各々と関連付けられる。各入力変調シンボルに対してスクランブリング操作、例えば、上記入力変調シンボルの相回転が上記関連付けられたユーザ固有のスクランブリング識別子ビットの関数として実行され、対応する出力変調シンボルを得る。スクランブリングＩＤビットの（０，１）という値は、それぞれ第１および第２の量の相回転、例えば、０度、１８０度と関連付けられる。【選択図】    図３
2009533981.tif 000002
【特許請求の範囲】
【請求項１】
スクランブルされた変調シンボルを生成するために、複数の変調シンボルを無線端末識別子の関数としてスクランブルすることと、
前記スクランブルされた変調シンボルを送信することと、
を備える通信方法。
【請求項２】
前記スクランブルすることは、
前記複数の変調シンボルに、シンボルごとに相回転操作を受けさせることを含み、
前記相回転のそれぞれは複数の異なる量のうちの１つの量だけ行われ、前記変調シンボルのうちの特定の１つに適用される回転の量は前記無線端末識別子の対応するＮ個のビット（ただし、Ｎは正の整数）によって決定される、
請求項１に記載の方法。
【請求項３】
前記複数の異なる量は２Ｎである、請求項２に記載の方法。
【請求項４】
Ｎは１である、請求項３に記載の方法。
【請求項５】
前記異なる量の相回転は０度および１８０度の相回転である、請求項４に記載の方法。
【請求項６】
前記スクランブルすることは、
前記複数の変調シンボルのうちの少なくとも最初のＮ個（ただし、Ｎは正の整数）に、シンボルごとに相回転操作を受けさせることを含み、
前記相回転は前記無線端末識別子における対応するビットによって決まる第１および第２の量のうちの一方である、
請求項１に記載の方法。
【請求項７】
前記無線端末識別子はＮビットの識別子である、請求項６に記載の方法。
【請求項８】
前記Ｎビットの識別子の各ビットは、前記複数の変調シンボルの最初のＮ個のうちの異なるものに対応する、請求項７に記載の方法。
【請求項９】
前記スクランブルすることは、
前記複数の変調シンボルのうちの少なくともＸ個（ただし、Ｘは正の整数）の追加的なシンボルに、シンボルごとに相回転操作を受けさせることをさらに含み、
前記相回転は前記無線端末識別子における対応するビットによって決まる第１の量および第２の量のうちの一方である、
請求項６に記載の方法。
【請求項１０】
Ｘは１２であり、Ｎは１６に等しく、および前記複数の変調シンボルは肯定応答信号であるアップリンク情報ビットを伝達する、請求項９に記載の方法。
【請求項１１】
Ｘは５であり、Ｎは１６に等しく、前記複数の変調シンボルは専用制御チャネルセグメントの６または８の情報ビットを伝達する、請求項９に記載の方法。
【請求項１２】
前記複数の変調シンボルのうちの最初のＮ個は複数の変調シンボルであり、
前記無線端末識別子はＫビットの識別子であり、
ＫはＮ以下の正の整数であり、
Ｎ個の変調シンボルの各々は、前記Ｋビットの識別子のビットのうちの異なるビットに対応する、請求項６に記載の方法。
【請求項１３】
Ｎは１４であり、Ｋは１６であり、前記複数の変調シンボルは２情報ビットアップリンク状態要求を伝達する、請求項１２に記載の方法。
【請求項１４】
前記スクランブルすることと送信することは無線端末によって実行され、
前記送信することは、ＯＦＤＭトーンを用いて前記スクランブルされた変調シンボルを伝送することを含む、請求項６に記載の方法。
【請求項１５】
前記複数の変調シンボルは所定の変調シンボルに従ってチャネルセグメントマッピング構成にインデックス付けされ、
前記無線端末識別子におけるビットにはインデックスが付けられ、
前記複数の変調シンボルはＭ個（ただし、Ｍは正の整数）の変調シンボルであり、前記無線端末識別子はＫビット（ただし、ＫはＭ未満の正の整数）の識別子であり、前記Ｋビットの無線端末識別子の各異なるインデックス付きのビットは前記Ｍ個の変調シンボルのうちの最大で（Ｍ／Ｋ）の異なる変調シンボルに対応する、請求項６に記載の方法。
【請求項１６】
前記相回転操作は、０度および１８０度のうちの一方の位相シフトである、請求項９に記載の方法。
【請求項１７】
前記無線端末識別子は、１６ビットのｗｔＳｃｒａｍｂｌｉｎｇＩＤである、請求項６に記載の方法。
【請求項１８】
前記スクランブルすることは、アップリンクトラヒック肯定応答信号を伝送するために用いられる符号化された変調シンボルに適用される、請求項１に記載の方法。
【請求項１９】
前記スクランブルすることは、アップリンク専用制御チャネル、アップリンクトラヒック肯定応答チャネル、アップリンク状態遷移肯定応答チャネルおよびアップリンク状態要求チャネルのうちの少なくとも１つに用いられる、請求項１に記載の方法。
【請求項２０】
スクランブルされた変調シンボルを生成するために、複数の変調シンボルを無線端末識別子の関数としてスクランブルするスクランブリングモジュールと、
前記スクランブルされた変調シンボルを送信する送信モジュールと、
を備える無線端末。
【請求項２１】
前記スクランブリングモジュールは、
前記複数の変調シンボルにシンボルごとに相回転操作を受けさせる相回転モジュールであって、各相回転は複数の異なる量のうちの１つの量だけ行われ、前記変調シンボルのうちの特定の１つに適用される回転の量は前記無線端末識別子の対応するＮ個のビット（ただし、Ｎは正の整数）によって決まる相回転モジュールを含む、請求項２０に記載の無線端末。
【請求項２２】
前記複数の異なる量は２Ｎである、請求項２１に記載の無線端末。
【請求項２３】
Ｎは１である、請求項２２に記載の無線端末。
【請求項２４】
前記異なる量の相回転は０度および１８０度の相回転である、請求項２３に記載の無線端末。
【請求項２５】
前記スクランブリングモジュールは、
少なくとも前記複数の変調シンボルのうちの最初のＮ個に、シンボルごとに相回転操作を受けさせる相回転モジュールであって、前記相回転は前記無線端末識別子における対応するビットによって決まる第１および第２の量のうちの一方である相回転モジュールを含む、請求項２０に記載の無線端末。
【請求項２６】
前記無線端末識別子はＫビット（ただし、Ｋは正の整数）の識別子である、請求項２６に記載の無線端末。
【請求項２７】
Ｎ＝Ｋである、請求項２６に記載の無線端末。
【請求項２８】
前記スクランブリングモジュールは、
前記複数の変調シンボルのうちの少なくともＸ個（ただし、Ｘは正の整数）の追加的なシンボルに、シンボルごとに相回転操作を受けさせる手段であって、前記相回転は前記無線端末識別子における対応するビットによって決まる第１および第２の量のうちの一方である手段をさらに含む、請求項２５に記載の無線端末。
【請求項２９】
変調シンボルスクランブリングが適用される異なる種類のアップリンクセグメントに関連付けられたインデックス付きの変調シンボルの数を識別する、格納されたアップリンクセグメント構造情報をさらに備える、請求項２５に記載の無線端末。
【請求項３０】
インデックス付きの変調シンボルのセグメント内の位置をインデックス付きの無線端末識別子ビットに関連付ける、対応ビット識別情報をさらに備える、請求項２５に記載の無線端末。
【請求項３１】
前記異なる種類のセグメントは異なる数の変調シンボルを含む、請求項２９に記載の無線端末。
【請求項３２】
前記異なる種類のアップリンクセグメントは、アップリンクトラヒックチャネル肯定応答セグメント、アップリンク専用制御チャネルセグメント、アップリンク状態要求チャネルセグメントおよびアップリンク状態遷移肯定応答チャネルセグメントのうちの少なくとも２つを含む、請求項２９に記載の無線端末。
【請求項３３】
前記無線端末識別子は第１のアクティブユーザ識別子と関連付けられた第１のスクランブリング識別子であり、前記第１のアクティブユーザ識別子は第１の基地局セクタ接続ポイントに対応する、請求項２５に記載の無線端末。
【請求項３４】
第２のアクティブユーザ識別子と関連付けられた、格納された第２のスクランブリング識別子をさらに備え、前記第２のスクランブリング識別子は前記第１のスクランブリング識別子とは異なり、前記第２のアクティブユーザ識別子は第２の基地局セクタ接続ポイントに対応しており、前記第２の基地局セクタ接続ポイントは前記第１の基地局セクタ接続ポイントとは異なっている、請求項３３に記載の無線端末。
【請求項３５】
前記無線端末識別子と関係なくスクランブルされている無線端末だけに向けられた、スクランブルされたダウンリンク変調シンボルを受信するＯＦＤＭレシーバをさらに備える、請求項２５に記載の無線端末。
【請求項３６】
基地局セクタ接続ポイントに対応する基地局セクタパラメータ情報の関数として、前記受信したスクランブル済みのダウンリンク変調シンボルをアンスクランブリングするダウンリンクアンスクランブリングモジュールをさらに備える、請求項３５に記載の無線端末。
【請求項３７】
少なくともいくつかのアップリンクセグメントに対応する変調シンボルに関する変調シンボルスクランブリング操作をバイパスするスクランブリングバイパスモジュールをさらに備える、請求項２５に記載の無線端末。
【請求項３８】
前記少なくともいくつかのアップリンクセグメントは、アップリンクアクセス交換チャネルセグメント、アップリンクアクセス信号タイミング制御チャネルセグメントおよびアップリンクアクセス信号電力制御チャネルセグメントのうちの少なくとも１つを含む、請求項３７に記載の無線端末。
【請求項３９】
基地局を作動させる方法であって、
ＯＦＤＭシンボルを受信することと、
なお、受信した各ＯＦＤＭシンボルは複数の変調シンボルを含み、前記複数の変調シンボルは複数の無線端末から受信される、
受信した変調シンボルからなる第１のセットを第１の専用アップリンクチャネルセグメントと関連付けることと、
なお、前記第１の専用アップリンクチャネルセグメントは第１の無線端末スクランブリング識別子を有する第１の無線端末専用である、
受信した変調シンボルからなる第２のセットを第２の専用アップリンクチャネルセグメントと関連付けることと、
なお、前記第２の専用アップリンクチャネルセグメントは第２の無線端末スクランブリング識別子を有する第２の無線端末専用であり、前記第２の無線端末識別子は前記第１の無線端末スクランブリング識別子とは異なる、
前記第１の無線端末スクランブリング識別子を用いて前記受信した変調シンボルからなる第１のセットを処理することにより、第１の情報復元操作を実行することと、
前記第２の無線端末スクランブリング識別子を用いて前記受信した変調シンボルからなる第２のセットを処理することにより、第２の情報復元操作を実行することと、
を備える方法。
【請求項４０】
前記第１の無線端末スクランブリング識別子を用いて前記受信した変調シンボルからなる第１のセットを処理することは、アンスクランブリング操作を前記第１の無線端末スクランブリング識別子の関数として実行することを含み、前記第２の無線端末スクランブリング識別子を用いて前記受信した変調シンボルからなる第２のセットを処理することは、アンスクランブリング操作を前記第２の無線端末スクランブリング識別子の関数として実行することを含む、請求項３９に記載の方法。
【請求項４１】
前記アンスクランブリング操作は処理される各受信した変調シンボルに対して実行され、前記アンスクランブリング操作は変調シンボルごとに、複数の異なる量の相回転のうちの１つを適用する、請求項４０に記載の方法。
【請求項４２】
前記異なる量の相回転は０度および１８０度の相回転である、請求項４１に記載の方法。
【請求項４３】
前記第１の情報復元操作を実行することは、前記第１のセットの各受信した変調シンボルに対して、アンスクランブルされる前記受信した変調シンボルに対応する前記第１の無線端末スクランブリング識別子のビットに基づいて前記アンスクランブリング操作において用いられる相回転の量を決めることを含み、前記第２の情報復元操作を実行することは、前記第２のセットの各受信した変調シンボルに対して、アンスクランブルされる前記受信した変調シンボルに対応する前記第２の無線端末スクランブリング識別子のビットに基づいて前記アンスクランブリングにおいて用いられる相回転の量を決めることを含む、請求項４１に記載の方法。
【請求項４４】
前記第１の専用アップリンクセグメントと前記第２の専用アップリンクセグメントは同じ種類のセグメントであって同じ情報ビット値を伝達するが、前記第１および第２の無線端末スクランブリング識別子が異なるために、送信される変調シンボルの異なるセットに対応する、請求項４１に記載の方法。
【請求項４５】
前記第１の専用アップリンク制御チャネルセグメントおよび第２の専用アップリンク制御チャネルセグメントの種類は、アップリンクトラヒックチャネル肯定応答セグメント、アップリンク専用制御チャネルセグメント、アップリンク状態要求チャネルセグメントおよびアップリンク状態遷移肯定応答チャネルセグメントのうちの１つである、請求項４４に記載の方法。
【請求項４６】
前記受信した変調シンボルからなる第１のセットは２つの異なる無線端末からの重畳信号を含み、前記２つの異なる無線端末の一方が前記第１の無線端末であり、前記２つの異なる無線端末の他方が第３の無線端末であり、前記第３の無線端末は前記第１の無線端末とは異なり、前記第３の無線端末は前記第１の無線端末スクランブリング識別子とは異なる第３の無線端末スクランブリング識別子を用い、前記第３の無線端末は前記第１の専用アップリンク制御チャネルセグメントに変調シンボルを間違って送信し、前記第１の情報復元操作は、
前記第１の無線端末スクランブリング識別子を用いて復号動作を実行して、前記第１の無線端末からの信号を検出し、前記第３の無線端末からの信号を雑音として処理すること、
をさらに備える、請求項４０に記載の方法。
【請求項４７】
専用アップリンクセグメントを個々の無線端末に割り当てるセグメント割り当てモジュールと、
ＯＦＤＭシンボルを受信するＯＦＤＭレシーバと、
なお、各受信したＯＦＤＭシンボルは複数の変調シンボルを含み、前記複数の変調シンボルは複数の無線端末から受信される、
受信した変調シンボルからなるセットを反復性アップリンクチャネル構造における専用アップリンクセグメントと関連付けるセグメント復元モジュールと、
前記無線端末スクランブリング識別子を用いて、専用アップリンクセグメントに対応する前記受信した変調シンボルからなるセットのうちの少なくともいくつかを処理する情報復元モジュールと、
を備える基地局。
【請求項４８】
前記専用アップリンクセグメントは、非競合ベースのアップリンク通信の場合の個々の無線端末専用のセグメントである、請求項４７に記載の基地局。
【請求項４９】
前記基地局に関する現在のアクティブユーザである各無線端末に対応する、格納された基地局が割り当てた無線端末アクティブユーザ識別子と、
前記基地局に関する現在のアクティブユーザである各無線端末に対応する、格納された無線端末スクランブリング識別子と、
をさらに備える、請求項４７に記載の基地局。
【請求項５０】
前記情報復元モジュールは、セグメントに関連付けられた受信変調シンボルに対して、変調シンボルごとに、アンスクランブリング操作を、前記セグメントと関連付けられた無線端末スクランブリング識別子の関数として実行するアンスクランブリングサブモジュールを含む、請求項４７に記載の基地局。
【請求項５１】
前記アンスクランブリングサブモジュールは、複数の異なる量の相回転のうちの１つを変調シンボルごとに適用する、請求項５０に記載の基地局。
【請求項５２】
前記異なる量の相回転は０度および１８０度の相回転である、請求項５１に記載の基地局。
【請求項５３】
前記アンスクランブリングサブモジュールは、受信した変調シンボルに対して前記無線端末スクランブリング識別子のビットを用い、前記ビットは、所定の関係によって前記セグメントにおけるインデックス付きのロケーションに対応する、無線端末スクランブリング識別子におけるインデックス付きのロケーションを有する、請求項５０に記載の基地局。
【請求項５４】
前記受信した変調シンボルからなるセットのうちの少なくともいくつかは、アップリンク専用制御チャネル、アップリンクトラヒック肯定応答チャネル、アップリンク状態遷移肯定応答チャネルおよびアップリンク状態要求チャネルのうちの少なくとも１つに対応する、請求項４７に記載の基地局。
【請求項５５】
前記情報復元モジュールは雑音除去モジュールを含み、前記雑音除去モジュールは、前記セグメントが専用でかつ前記無線端末スクランブリング識別子を用いている無線端末からのセグメントを介して伝送された信号を検知するために、また、前記セグメントに間違って送信するいずれかの無線端末からの信号を別の無線端末スクランブリング識別子を用いて拒否するために、前記セグメントに関連付けられた無線端末スクランブリング識別子を用い、前記別の無線端末スクランブリング識別子は、前記無線端末スクランブリング識別子とは異なっている、請求項４７に記載の基地局。
【請求項５６】
通信方法を実施する通信機器を制御するための機械実行可能な命令を包含するコンピュータ可読媒体であって、前記通信方法は、
スクランブルされた変調シンボルを生成するために、複数の変調シンボルを無線端末識別子の関数としてスクランブルすることと、
前記スクランブルされた変調シンボルを送信することと、
を備える、コンピュータ可読媒体。
【請求項５７】
前記複数の変調シンボルにシンボルごとに相回転操作を受けさせるための機械実行可能命令であって、各相回転は複数の異なる量のうちの１つの量だけ前記スクランブルすることの一部として行われ、前記変調シンボルのうちの特定の１つに適用される回転の量は前記無線端末識別子の対応するＮ個のビット（ただし、Ｎは正の整数）によって決定される機械実行可能命令をさらに包含する、請求項５６に記載のコンピュータ可読媒体。
【請求項５８】
前記複数の異なる量は２Ｎである、請求項５７に記載のコンピュータ可読媒体。
【請求項５９】
Ｎは１である、請求項５８に記載のコンピュータ可読媒体。
【請求項６０】
前記異なる量の相回転は０度および１８０度の相回転である、請求項５９に記載のコンピュータ可読媒体。
【請求項６１】
前記複数の変調シンボルのうちの少なくとも最初のＮ個（ただし、Ｎは正の整数）に、シンボルごとに、前記スクランブルすることの一部として相回転操作を受けさせるための命令であって、前記相回転は前記無線端末識別子における対応するビットによって決まる第１および第２の量のうちの一方である命令をさらに包含する、請求項５６に記載のコンピュータ可読媒体。
【請求項６２】
実行時に通信方法を実施するように基地局を制御する機械実行可能命令を包含するコンピュータ可読媒体であって、前記通信方法は、
ＯＦＤＭシンボルを受信することと、
なお、受信した各ＯＦＤＭシンボルは複数の変調シンボルを含み、前記複数の変調シンボルは複数の無線端末から受信される、
受信した変調シンボルからなる第１のセットを第１の専用アップリンクチャネルセグメントと関連付けることと、
なお、前記第１の専用アップリンクチャネルセグメントは第１の無線端末スクランブリング識別子を有する第１の無線端末専用である、
受信した変調シンボルからなる第２のセットを第２の専用アップリンクチャネルセグメントと関連付けることと、
なお、前記第２の専用アップリンクチャネルセグメントは第２の無線端末スクランブリング識別子を有する第２の無線端末専用であり、前記第２の無線端末識別子は前記第１の無線端末スクランブリング識別子とは異なる、
前記第１の無線端末スクランブリング識別子を用いて前記受信した変調シンボルからなる第１のセットを処理することにより、第１の情報復元操作を実行することと、
前記第２の無線端末スクランブリング識別子を用いて前記受信した変調シンボルからなる第２のセットを処理することにより、第２の情報復元操作を実行することと、
を備えるコンピュータ可読媒体。
【請求項６３】
前記第１の無線端末スクランブリング識別子を用いて、前記受信した変調シンボルからなる第１のセットを処理するステップの一部として、前記第１の無線端末スクランブリング識別子の関数としてアンスクランブリング操作を実行し、および、
前記第２の無線端末スクランブリング識別子を用いて、前記受信した変調シンボルからなる第２のセットを処理するステップの一部として、前記第２の無線端末スクランブリング識別子の関数としてアンスクランブリング操作を実行する
ための機械実行可能命令をさらに包含する、請求項６２に記載のコンピュータ可読媒体。
【請求項６４】
前記アンスクランブリング操作は処理される各受信した変調シンボルに対して実行され、
変調シンボルごとに、前記アンスクランブリング操作の一部として、複数の異なる量の相回転のうちの１つを適用する機械実行可能命令をさらに包含する、請求項６３に記載のコンピュータ可読媒体。
【請求項６５】
前記異なる量の相回転は０度および１８０度の相回転である、請求項６４に記載のコンピュータ可読媒体。
【請求項６６】
前記第１の情報復元操作を実行するステップの一部として、前記第１のセットの各受信した変調シンボルに対して、アンスクランブルされる前記受信した変調シンボルに対応する前記第１の無線端末スクランブリング識別子のビットに基づいて、前記アンスクランブリング操作において用いられる相回転の量を決定し、および
前記第２の情報復元操作を実行するステップの一部として、前記第２のセットの各受信した変調シンボルに対して、アンスクランブルされる前記受信した変調シンボルに対応する前記第２の無線端末スクランブリング識別子のビットに基づいて、前記アンスクランブリングにおいて用いられる相回転の量を決定する
ための機械実行可能命令をさらに包含する、請求項６４に記載のコンピュータ可読媒体。
【請求項６７】
スクランブルされた変調シンボルを生成するために、複数の変調シンボルを無線端末識別子の関数としてスクランブルする手段と、
前記スクランブルされた変調シンボルを送信する手段と、
を備える通信装置。
【請求項６８】
前記スクランブルする手段は、
前記複数の変調シンボルに、シンボルごとに相回転操作を受けさせる手段であって、各相回転は複数の異なる量のうちの１つの量だけ行われ、前記変調シンボルのうちの特定の１つに適用される回転の量は前記無線端末識別子の対応するＮ個のビット（ただし、Ｎは正の整数）によって決まる手段を含む、請求項６７に記載の通信装置。
【請求項６９】
前記スクランブルする手段は、
前記複数の変調シンボルのうちの少なくとも最初のＮ個（ただし、Ｎは正の整数）に、シンボルごとに相回転操作を受けさせる手段であって、前記相回転は前記無線端末識別子における対応するビットによって決まる第１および第２の量のうちの一方である手段を含む、請求項６７に記載の通信装置。
【請求項７０】
前記複数の変調シンボルは、所定の変調シンボルに従ってチャネルセグメントマッピング構成にインデックス付けされ、
前記無線端末識別子におけるビットにはインデックスが付けられ、
前記複数の変調シンボルはＭ個（ただし、Ｍは正の整数）の変調シンボルであり、前記無線端末識別子はＫビット（ただし、ＫはＭ未満の正の整数）の識別子であり、前記Ｋビットの無線端末識別子の各異なるインデックス付きのビットは前記Ｍ個の変調シンボルのうちの最大で（Ｍ／Ｋ）の異なる変調シンボルに対応する、請求項６９に記載の通信装置。
【請求項７１】
複数の変調シンボルを無線端末識別子の関数として前記スクランブリングすることがそれに対して適用される異なる種類のアップリンクセグメントは、アップリンクトラヒックチャネル肯定応答セグメント、アップリンク専用制御チャネルセグメント、アップリンク状態要求チャネルセグメントおよびアップリンク状態遷移肯定応答チャネルセグメントのうちの少なくとも２つを含む、請求項６９に記載の通信装置。
【請求項７２】
ＯＦＤＭシンボルを受信する手段と、
なお、受信した各ＯＦＤＭシンボルは複数の変調シンボルを含み、前記複数の変調シンボルは複数の無線端末から受信される、
受信した変調シンボルからなる第１のセットを第１の専用アップリンクチャネルセグメントと関連付ける手段と、
なお、前記第１の専用アップリンクチャネルセグメントは第１の無線端末スクランブリング識別子を有する第１の無線端末専用である、
受信した変調シンボルからなる第２のセットを第２の専用アップリンクチャネルセグメントと関連付ける手段と、
なお、前記第２の専用アップリンクチャネルセグメントは第２の無線端末スクランブリング識別子を有する第２の無線端末専用であり、前記第２の無線端末識別子は前記第１の無線端末スクランブリング識別子とは異なる、
前記第１の無線端末スクランブリング識別子を用いて前記受信した変調シンボルからなる第１のセットを処理することにより、第１の情報復元操作を実行する手段と、
前記第２の無線端末スクランブリング識別子を用いて前記受信した変調シンボルからなる第２のセットを処理することにより、第２の情報復元操作を実行する手段と、
を備える基地局。
【請求項７３】
前記第１の無線端末スクランブリング識別子を用いて前記受信した変調シンボルからなる第１のセットを処理する手段は、アンスクランブリング操作を前記第１の無線端末スクランブリング識別子の関数として実行する手段を含み、前記第２の無線端末スクランブリング識別子を用いて前記受信した変調シンボルからなる第２のセットを処理する手段は、アンスクランブリング操作を前記第２の無線端末スクランブリング識別子の関数として実行する手段を含む、請求項７２に記載の基地局。
【請求項７４】
前記アンスクランブリング操作を実行する手段は、処理されるセグメントの各受信した変調シンボルに対してアンスクランブリング操作を実行し、前記アンスクランブリング操作は、変調シンボルごとに、複数の異なる量の相回転のうちの１つを適用する、請求項７３に記載の基地局。
【請求項７５】
前記異なる量の相回転は０度および１８０度の相回転である、請求項７４に記載の基地局。
【請求項７６】
前記第１の情報復元操作を実行する手段は、前記第１のセットの各受信した変調シンボルに対して、アンスクランブルされる前記受信した変調シンボルに対応する前記第１の無線端末スクランブリング識別子のビットに基づいて、前記アンスクランブリング操作において用いられる相回転の量を決める手段を含み、前記第２の情報復元操作を実行する手段は、前記第２のセットの各受信した変調シンボルに対して、アンスクランブルされる前記受信した変調シンボルに対応する前記第２の無線端末スクランブリング識別子のビットに基づいて、前記アンスクランブリング操作において用いられる相回転の量を決める手段を含む、請求項７４に記載の基地局。
【請求項７７】
通信システムにおいて動作可能な装置であって、
複数の変調シンボルを無線端末識別子の関数としてスクランブルして、スクランブルされた変調シンボルを生成し、および
前記スクランブルされた変調シンボルを送信するように構成されたプロセッサを備える、装置。
【請求項７８】
前記プロセッサは、
前記複数の変調シンボルに、前記スクランブル操作の一部として、シンボルごとに相回転操作を受けさせるように構成されており、各相回転は複数の異なる量のうちの１つの量だけ行われ、前記変調シンボルのうちの特定の１つに適用される回転の量は前記無線端末識別子の対応するＮ個のビット（ただし、Ｎは正の整数）によって決められる、請求項７７に記載の装置。
【請求項７９】
前記プロセッサは、前記複数の異なる量が２Ｎであるように構成されている、請求項７８に記載の装置。
【請求項８０】
通信システムにおいて作動可能な装置であって、
ＯＦＤＭシンボルを受信し、受信した各ＯＦＤＭシンボルは複数の変調シンボルを含み、前記複数の変調シンボルは複数の無線端末から受信するように構成され、
受信した変調シンボルからなる第１のセットを第１の専用アップリンクチャネルセグメントと関連付け、前記第１の専用アップリンクチャネルセグメントは第１の無線端末スクランブリング識別子を有する第１の無線端末専用であるように構成され、
受信した変調シンボルからなる第２のセットを第２の専用アップリンクチャネルセグメントと関連付け、前記第２の専用アップリンクチャネルセグメントは第２の無線端末スクランブリング識別子を有する第２の無線端末専用であり、前記第２の無線端末識別子は前記第１の無線端末スクランブリング識別子とは異なるように構成され、
前記第１の無線端末スクランブリング識別子を用いて前記受信した変調シンボルからなる第１のセットを処理することにより、第１の情報復元操作を実行するように構成され、および
前記第２の無線端末スクランブリング識別子を用いて前記受信した変調シンボルからなる第２のセットを処理することにより、第２の情報復元操作を実行するように構成された、
プロセッサを備える装置。
【請求項８１】
前記プロセッサは、アンスクランブリング操作を、前記第１の無線端末スクランブリング識別子を用いて、前記受信した変調シンボルからなる第１のセットを処理することの一部として、前記第１の無線端末スクランブリング識別子の関数として実行するように構成され、および前記プロセッサは、アンスクランブリング操作を、前記第２の無線端末スクランブリング識別子を用いて、前記受信した変調シンボルからなる第２のセットを処理することの一部として、前記第２の無線端末スクランブリング識別子の関数として実行するように構成されている、請求項８０に記載の装置。
【請求項８２】
前記プロセッサは、処理される各受信した変調シンボルに対して、アンスクランブリング操作を実行するように構成され、および前記アンスクランブリング操作は、変調シンボルごとに、複数の異なる量の相回転のうちの１つを適用する、請求項８１に記載の装置。
【発明の詳細な説明】
【関連出願】
【０００１】
本願は、共に２００６年４月１４日にファイルされた「無線端末スクランブル識別子を用いることに関連する方法および装置（METHOD AND APPARATUS RELATED TO USING A WIRELESS TERMINAL SCRAMBLING IDENTIFIER）」というタイトルの米国仮特許出願第６０／７９２，２２３号および同第６０／７９２，０２１号の出願日の利益を主張する。
【技術分野】
【０００２】
本発明は、マルチユーザ通信システムに関し、より具体的には、同じアイデンティティーを真のユーザとして間違って仮定するようなシステムにおける、１つ以上のユーザの影響を緩和するために用いられる方法および装置に関する。
【背景技術】
【０００３】
通信システムは、多くの場合、それを介してエンドノード（例えば、モバイル機器）がネットワークに結合されるアクセスノード（例えば基地局）に結合された複数のネットワークノードを含む。
【０００４】
無線端末と呼ばれる上記エンドノードは、典型的には、上記アクセスノードと積極的に通信する場合の付与された識別番号である。これらの付与された識別番号はアクティブ識別番号と呼ばれる場合がある。非直交系においては、アクティブユーザの各々が信号を送信する場合、制御情報を伝達するか実際のトラヒックを伝達するかに関わらず、上記アクティブユーザは互いに干渉を引き起こす。直交系においては、同じアクセスノードに送信するアクティブユーザ間の干渉は、理論的には、様々なアクティブユーザにアップリンクチャネルリソースを割り当てる（例えば、分割する）ことによって防止される。割り当てられたリソースは、制御情報を伝達するのに用いられるリソースと、トラヒック（例えば、ユーザデータ）を伝達するのに用いられるリソースとを含む。この割り当ては、アクティブな無線端末の識別番号に基づいており、固定パターンに従うか、あるいは、通信プロセス中に受信する割り当てに関する情報に基づくことができる。このアプローチを用いるいずれの場合においても、所与のチャネルリソースが最大限でも１つのアクティブ識別番号に割り当てられ、上記アクティブ識別番号を伴う無線端末に送信のためのチャネルリソースを使用させる。
【０００５】
このようなシステムにおいては、時々、場合により、上記識別番号を伝える情報ビットにおける訂正されていないエラーにより、または、上記無線端末または上記アクセスノードの誤った動作により、間違ったアクティブ識別番号を仮定する可能性がある。上記無線端末が間違った識別番号を仮定する理由に関係なく、この状況は、上記無線端末が、上記無線端末に実際には割り当てられていないチャネルリソースで信号を送信することに至る可能性がある。このことは、間違って仮定された識別番号が実際に属する無線端末からのアップリンク信号に対してさらなる干渉をもたらし、その結果、上記無線端末の通信プロセスを妨害する。
【０００６】
上記の考察に鑑みて、システム内の１つ以上の無線端末がアクティブ識別番号を間違って仮定し、それによって、上記アクティブ識別番号が実際に属する無線端末の通信プロセスを妨害する状況の影響を緩和する、新しくかつ改善された方法に対する要求があると理解すべきである。
【発明の開示】
【発明の概要】
【０００７】
様々な実施形態は、同じアクセスノードにアクセスする１つ以上の無線端末が間違ったアクティブ識別番号を仮定し、それによって、上記アクティブ識別番号が実際に属する無線端末の通信プロセスを妨害する状況の影響を緩和する方法および装置に向けられる。
【０００８】
様々な実施形態に従って、無線端末は、上記無線端末が上記無線端末のアクティブ識別子（active identifier; actid）に基づいて割り当てられることが想定されているチャネルリソースのうちの少なくともいくつかで送信する変調シンボルを暗号化するために無線端末スクランブル識別子（wireless terminal scrambling identifier; wtScramblingId）を用いる。無線端末のｗｔＳｃｒａｍｂｌｉｎｇＩｄは、いくつかの実施形態においては、無線端末およびアクセスノードの両方に知られている無線端末の固有識別子である。いくつかのこのようなシステムにおいて、ｗｔＳｃｒａｍｂｌｉｎｇＩｄの導出、および上記ｗｔＳｃｒａｍｂｌｉｎｇＩｄを上記無線端末とアクセスノードの間で伝達するプロセスは、最終結果が上記無線端末およびアクセスノードの両方に知られている無線端末の固有識別子である限りは、様々な可能な方法に従うことができる。
【０００９】
必ずしも全てではない１つの実施形態において、このスクランブリングは、上記アクセスノードおよび無線端末に関する識別子を表すために用いられるビット数に限定されるｗｔＳｃｒａｍｂｌｉｎｇＩｄに基づくことができる。この場合、上記ｗｔＳｃｒａｍｂｌｉｎｇＩｄの固有性は、特に上記システムにおける無線端末の数が上記識別子を所与数のビットで表すために使用できる最大数よりも大きい場合には、必ずしも適用される必要はない。しかし、それでもスクランブリングプロセスの緩和効果は、２つの無線端末が非固有のｗｔＳｃｒａｍｂｌｉｎｇＩｄを共有し、また、同じａｃｔＩｄで衝突するという可能性はごくわずかであるため適用される。
【００１０】
全てである必要はないが、いくつかの実施形態においては、スクランブリングの方法は、以下のことを含む。送信すべき情報ビットは、符号化された変調シンボルを生成するために符号化および変調を受ける。スクランブルして所与のチャネルリソースで送信すべき符号化された変調シンボルは、最上位のものから最下位のものへ順序付けされる。ｗｔＳｃｒａｍｂｌｉｎｇＩｄは最上位ビットまたは最下位ビットのいずれかから始まるＮビットにグループ分けされる。Ｎビットからなる各グループは、変調シンボルに適用することができる複数の異なる相回転のうちの１つを決定する。Ｎビットによって決めることのできる上記複数の相回転は、最大で２Ｎである。Ｎビットからなるグループは、上記無線端末およびアクセスノードの両方に知られている所定の置換を受けることができ、また、最上位から最下位へ順序付けることができる。最上位変調シンボルは、上記最上位グループによって決まる一定量の相回転を受けて、第１のスクランブルされた変調シンボルを生じる。次に、第２の最上位変調シンボルが、第２の最上位変調シンボルによって決まる量の相回転を受けて、第２のスクランブルされた変調シンボルを生じ、以下、同様である。このプロセスは、Ｎビットからなる最下位グループが、変調シンボルの相回転の量を決めるのに用いられるまで繰り返される。次の変調シンボルは、ここでもまた、Ｎビットからなる最上位グループ、すなわち、上記第１の変調シンボルの相回転を決めるのに用いられたのと同じグループによって決まる量の相回転を受ける。このプロセスは、例えば、１つのセグメントに対応するスクランブルすべき変調シンボルのセットが、Ｎビットからなる対応するグループによって決まる量の相回転を受けるまで、変調シンボルに対して繰り返され、スクランブルされた変調シンボルを生じる。そして、スクランブルされた変調シンボルは送信される。
【００１１】
いくつかの例示的な実施形態において、Ｎの値は、ｗｔＳｃｒａｍｂｌｉｎｇＩｄを表すビットは、一度に１ビットと考えられるように、１に設定される。いくつかのこのような実施形態においては、変調シンボルが受ける相回転の量は、相回転の量を決める対応ビットが０であるか、または１であるかに基づいて、０°および１８０°のうちの１つである。
【００１２】
いくつかの例示的な実施形態においては、ｗｔＳｃｒａｍｂｌｉｎｇＩｄは、１６ビット、例えば、Ｚ１５、Ｚ１４、…、Ｚ０で示される１６ビットのｗｔＳｃｒａｍｂｌｉｎｇＩｄによって表される。このような実施形態において、上記ビットは、上記ｗｔＳｃｒａｍｂｌｉｎｇＩｄの２進法表示における順序付けに従って、最上位から最下位まで順序付けることができ、その結果、最上位ビットを表すＺ１５と、最下位ビットを表すＺ０とを生じる。
【００１３】
一実施形態において、このスクランブリングは、アップリンク専用制御チャネル、アップリンクトラヒック肯定応答チャネル、アップリンク状態遷移肯定応答チャネルおよびアップリンク状態要求チャネルのうちの少なくとも１つに対応するチャネルリソースで送信される変調シンボルに適用される。
【００１４】
様々な実施形態に従って、無線端末装置は、変調シンボルおよびｗｔＳｃｒａｍｂｌｉｎｇＩｄを入力として利用し、スクランブルされた変調シンボルを生成するスクランブリングモジュールを含む。加えて、上記無線端末装置は、スクランブルされた変調シンボルを送信する送信モジュールを含む。
【００１５】
一実施形態において、上記スクランブリングモジュールは相回転モジュールを含み、この相回転モジュールは複数の変調シンボルをシンボルごとに相回転操作にかけ、各相回転は、ｗｔＳｃｒａｍｂｌｉｎｇＩｄを表すビットセットにおけるＮビット（Ｎは正の整数）の対応するグループによって決まる量だけ行われる。
【００１６】
一実施形態において、Ｎは１に設定され、１ビットを生じることのできる複数の相回転は、０°および１８０°に固定される。
【００１７】
様々な実施形態の方法および装置は、実際に専用チャネルリソースが異なる無線端末に割り当てられている場合に、ある無線端末によってその無線端末に割り当てられていると間違って仮定されている上記専用チャネルリソースで送信されるように意図されている符号化された変調シンボルをスクランブルする。このスクランブリングは、もしアクセスノード上の受信端において上記スクランブルされたシンボルが上記無線端末において受けたのと逆の相回転を受けないならば、上記リソースに誤って送信する上記無線端末からのスクランブルされた変調シンボルをノイズと等価のように見せる。符号化された変調シンボルとして見せるのとは対照的に、このａｃｔｉｄをノイズとして間違って仮定した無線端末からのスクランブルされた変調シンボルの見かけは、真の無線端末から送信されたスクランブルされた変調シンボルが間違って符号化される可能性を低減する。
【００１８】
様々な実施形態を上記の概要において考察したが、必ずしも全ての実施形態が同じ特徴を含む必要はなく、また、上述した特徴のうちのいくつかは必要ではないが、いくつかの実施形態においては望ましいことが理解されるべきである。様々な実施形態の多くの追加的な特徴、実施形態および利点は、以下の詳細な説明において論じられる。
【詳細な説明】
【００１９】
図１は、様々な実施形態に従って実施される例示的な通信システム１００を示す。例示的な通信システム１００は、多数のセル、すなわち、セル１  １０２、セルＭ  １０４を含む。例示的なシステム１００は、例えば、トーンホッピングを含む多元接続直交周波数分割多重（orthogonal frequency division multiplexing; OFDM）スペクトル拡散システム等の例示的な多元接続ＯＦＤＭ無線通信システムである。例示的なシステム１００の各セル１０２、１０４は、３つのセクタを含む。様々な実施形態に従って、多数のセクタに細分化されていないセル（Ｎ＝１）、すなわち、２つのセクタを有するセル（Ｎ＝２）および３つより多いセクタを有するセル（Ｎ＞３）も可能である。各セクタは、１つ以上のキャリアおよび／またはダウンリンクトーンブロックをサポートする。上記ダウンリンクトーンブロックの少なくともいくつかは、対応するアップリンクトーンブロックを有する。いくつかの実施形態において、上記セクタのうちの少なくともいくつかは、３つのダウンリンク／アップリンクトーンブロックのペアをサポートする。１つの基地局に対する、セクタとトーンブロックのペアの各組合せは、異なる基地局セクタ接続ポイントに対応する。セル１０２は、第１のセクタ、すなわちセクタ１  １１０と、第２のセクタ、すなわちセクタ２  １１２と、第３のセクタ、すなわちセクタ３  １１４とを含む。同様に、セルＭ  １０４は、第１のセクタ、すなわちセクタ１  １２２と、第２のセクタ、すなわちセクタ２  １２４と、第３のセクタ、すなわちセクタ３  １２６とを含む。セル１  １０２は、基地局（base station; BS）、すなわち基地局１  １０６と、各セクタ１１０、１１２、１１４内の複数の無線端末（wireless terminal; WT）とを含む。セクタ１  １１０は、それぞれ無線リンク１４０、１４２を介してＢＳ  １０６に結合されているＷＴ（１）１３６およびＷＴ（Ｎ）１３８を含み、セクタ２  １１２は、それぞれ無線リンク１４８、１５０を介してＢＳ  １０６に結合されているＷＴ（１’）１４４およびＷＴ（Ｎ’）１４６を含み、セクタ３  １１４は、それぞれ無線リンク１５６、１５８を介してＢＳ  １０６に結合されているＷＴ（１’’）１５２およびＷＴ（Ｎ’’）１５４を含む。同様に、セルＭ  １０４は、基地局Ｍ  １０８と、各セクタ１２２、１２４、１２６内の複数の無線端末（ＷＴ）とを含む。セクタ１  １２２は、それぞれ無線リンク１８０、１８２を介してＢＳ  Ｍ  １０８に結合されているＷＴ（１””）１６８およびＷＴ（Ｎ””）１７０を含み、セクタ２  １２４は、それぞれ無線リンク１８４、１８６を介してＢＳ  Ｍ  １０８に結合されているＷＴ（１””）１７２およびＷＴ（Ｎ””）１７４を含み、セクタ３  １２６は、それぞれ無線リンク１８８、１９０を介してＢＳ Ｍ  １０８に結合されているＷＴ（１”””）１７６およびＷＴ（Ｎ”””）１７８を含む。
【００２０】
システム１００は、また、それぞれネットワークリンク１６２、１６４を介してＢＳ１  １０６およびＢＳ  Ｍ  １０８に結合されているネットワークノード１６０を含む。ネットワークノード１６０は、また、ネットワークリンク１６６を介して他のネットワークノード、例えば、他の基地局、ＡＡＡサーバノード、中間ノード、ルータ等、インターネットにも結合される。ネットワークリンク１６２、１６４、１６６は、例えば、光ファイバケーブルとすることができる。各無線端末、例えば、ＷＴ１  １３６は、送信器および受信器を含む。上記無線端末のうちの少なくともいくつか、例えば、ＷＴ（１）１３６は、システム１００内を移動することができる移動ノードであり、無線リンクを介して上記ＷＴが現在配置されている上記セル内の基地局と、例えば、基地局セクタ接続ポイントを用いて通信することができる。無線端末ＷＴ、例えば、ＷＴ（１）１３６は、基地局、例えば、ＢＳ  １０６および／またはネットワークノード１６０を介して、ピアノード、例えば、システム１００内の、またはシステム１００外の他のＷＴと通信することができる。ＷＴ、例えば、ＷＴ（１）１３６は、携帯電話、無線モデムを備えたＰＤＡ（personal data assistant）、無線モデムを備えたラップトップコンピュータ、無線モデムを備えたデータ端末等の移動通信機器とすることができる。
【００２１】
図２は、様々な実施形態に従って実施される例示的な基地局（ＢＳ）２００、例えば、アクセスノードの図である。例示的な基地局２００は、図１のシステム１００の例示的な基地局１０６、１０８のいずれかとすることができる。例示的な基地局２００は、レシーバモジュール２０２、トランスミッタモジュール２０４、プロセッサ２０６、Ｉ／Ｏインタフェース２０８、および、様々な要素がそれを通じてデータおよび情報を互いにやりとりすることができるバス２１２を介して相互に結合されている記憶装置２１０を含む。記憶装置２１０は、ルーチン２１８およびデータ／情報２２０を含む。プロセッサ２０６、例えば、ＣＰＵは、ルーチン２１８を実行し、および記憶装置２１０内のデータ／情報を用いて、基地局２００の動作を制御し、また、上記方法を実施する。
【００２２】
レシーバモジュール２０２、例えば、ＯＦＤＭレシーバは、基地局２００が、それを介して複数の無線端末からアップリンク信号を受信する受信アンテナ２０３に結合されている。上記ＯＦＤＭレシーバは、ＯＦＤＭシンボルを受信し、各シンボルは、複数の変調シンボルを含むＯＦＤＭシンボルを受信し、前記複数の変調シンボルは、複数の無線端末から受信される。レシーバモジュール２０２は、受信したアップリンク信号のうちの少なくともいくつかで復号するデコーダ２１４を含む。
【００２３】
トランスミッタモジュール２０４、例えば、ＯＦＤＭトランスミッタは、基地局２００が、それを介してダウンリンク信号を無線端末に送信する受信アンテナ２０５に結合されている。トランスミッタモジュール２０４は、送信の前に、ダウンリンク信号のうちの少なくともいくつかを符号化するエンコーダ２１６を含む。
【００２４】
Ｉ／Ｏインタフェース２０８は、基地局２００を、インターネットおよび／または他のネットワークノード、例えば、他の基地局、ルータノード、ＡＡＡノード、ホームエージェントノード等に結合する。Ｉ／Ｏインタフェース２０８は、他の基地局を含むバックホールネットワークに上記基地局を結合し、その結果、基地局２００をネットワーク接続ポイントとして用いる無線端末および異なる基地局をネットワーク接続ポイントとして用いる別の無線端末は、通信セッションを有することができる。
【００２５】
ルーチン２１８は、通信ルーチン２２２と、基地局制御ルーチン２２４とを含む。通信ルーチン２２２は、基地局２００によって用いられる様々な通信プロトコルを実行する。基地局制御ルーチン２２４は、セグメント割り当てモジュール２２６と、セグメント復元モジュール２２８と、情報復元モジュール２３０とを含む。情報復元モジュール２３０は、アンスクランブリングサブモジュール２３２と、雑音除去モジュール２３４とを含む。
【００２６】
セグメント割り当てモジュール２２６は、専用アップリンクセグメントを個々の無線端末に割り当て、専用アップリンクセグメントは、競合せずに用いるために、１つの無線端末の専用になっている。無線端末に対する専用アップリンクセグメントの割り当ては、直接的または間接的な手段によって行うことができる。例えば、特定のアップリンクセグメントを無線端末に割り当てて、上記無線端末に関連する識別子を含む割り当てメッセージを介して伝達することができる。別の実施例として、ＷＴには、基地局が割り当てたＯＮ状態識別子を割り当てることができ、上記ＯＮ状態識別子は、反復性アップリンクレポート構造(recurring uplink reporting structure)における専用制御チャネルセグメントからなる特定のセットに関連付けられている。別の実施例として、無線端末には、無線端末識別子を含む割り当てメッセージを介して、ダウンリンクトラヒックチャネルセグメントを割り当てることができ、ダウンリンクチャネルセグメントと、対応するアップリンクトラヒック応答チャネルセグメントとの間には所定の関係があり、上記基地局および無線端末は、上記ダウンリンクトラヒックチャネルセグメントが上記無線端末に割り当てられていることの結果として、対応するアップリンクトラヒック応答チャネルセグメントが上記無線端末専用であることがわかる。
【００２７】
セグメント復元モジュール２２８は、受信した変調シンボルを基地局２００によって実施される反復性アップリンクチャネル構造における専用アップリンクセグメントと関連付ける。情報復元モジュール２３０は、無線端末スクランブリング識別子を用いて、専用アップリンクセグメントに対応する受信変調シンボルからなるセットのうちの少なくともいくつかを処理する。アンスクランブリングサブモジュール２３２は、個々の無線端末に専用となっているアップリンクセグメントに関連付けられた受信変調シンボルに対して、変調シンボルベースで、アンスクランブリング操作を、上記セグメントに関連付けられた無線端末スクランブリング識別子の関数として実行する。アンスクランブリングサブモジュール２３２は、変調シンボルベースで、複数の異なる量の相回転、例えば、０度または１８０度の相回転の一方を適用する。この例示的な実施形態において、アンスクランブリングサブモジュール２３０は、受信した変調シンボルに対して無線端末スクランブリング識別子のビットを用い、上記ビットは、所定の関係によって上記セグメントにおけるインデックス付きの変調シンボルロケーションに対応する、上記無線端末スクランブリング識別子におけるインデックス付きのロケーションを有する。いくつかの他の実施形態においては、無線端末スクランブリング識別子の多数のインデックス付きビットは、無線端末専用のアップリンクセグメントにおけるインデックス付き変調シンボルに対応する。
【００２８】
雑音除去モジュール２３４は、あるセグメントに関連付けられた無線端末スクランブリング識別子を用いて、上記セグメント専用になっており、かつ上記無線端末スクランブリング識別子を用いている無線端末からのセグメントを介して伝送された信号を検知し、および上記無線端末スクランブリング識別子とは異なる別の無線端末スクランブリング識別子を用いて、間違って上記セグメントに送信したあらゆる無線端末からの信号を拒絶する。
【００２９】
データ／情報２２０は、システムデータ／情報２３６と、無線端末データ／情報２３８と、受信したＯＦＤＭシンボル（受信したＯＦＤＭシンボル１情報２４０、…、受信したＯＦＤＭシンボルＮ情報２４２）に対応する情報からなる複数のセットとを含む。システムデータ／情報２３６は、ダウンリンクタイミング／周波数構造情報２４４と、アップリンクタイミング／周波数構造情報２４６と、相回転／スクランブリング識別ビットマッピング情報２４８と、アップリンクセグメント構造情報２５０とを含む。アップリンクセグメント構造情報２５０は、無線端末スクランブリング適用可能なセグメントの情報２５２と、スクランブリングを用いていないセグメントのための情報２５４とを含む。無線端末スクランブリング適用可能なセグメントの情報２５２は、チャネルセグメントタイプ情報（タイプ１チャネルセグメント情報２５６、…、タイプＮチャネルセグメント情報２５８）からなる複数のセットを含む。タイプ１チャネルセグメント情報２５６は、セグメント当たりの変調シンボルの数２６０と、対応するビット識別情報２６２とを含む。タイプＮチャネルセグメント情報２５８は、セグメント当たりの変調シンボルの数２６４と、対応するビット識別情報２６６とを含む。
【００３０】
ダウンリンクタイミング／周波数構造情報２４４は、例えば、ダウンリンクチャネルセグメント情報、ＯＦＤＭシンボルタイミング情報、ＯＦＤＭシンボルのグループ分けに関する情報、反復性チャネルセグメント／タイミング情報、ダウンリンクトーンブロック情報、ダウンリンクキャリア周波数情報およびダウンリンクトーンホッピング情報を含む。アップリンクタイミング／周波数構造情報２４６は、例えば、アップリンクチャネルセグメント情報、ＯＦＤＭシンボルタイミング情報，ＯＦＤＭシンボルのグループ分けに関する情報、反復性チャネルセグメント／タイミング情報、アップリンクトーンブロック情報、アップリンクキャリア周波数情報、アップリンクトーンホッピング情報および休止情報を含む。
【００３１】
ＷＴスクランブリング適用可能なセグメントの情報２５２は、例えば、スクランブリングモジュール３３０を用いて、およびＷＴスクランブリング識別子を用いて、セグメントの変調シンボルがＷＴ３００によってスクランブルされる異なる種類のアップリンクセグメントに対応する情報を含む。ＷＴスクランブリング適用可能なセグメントの情報２５２は、情報復元モジュール２３０によって用いられる。ＷＴスクランブリングを受けるいくつかの例示的な種類のアップリンクチャネルセグメントについて説明する。例えば、タイプ１チャネルセグメント情報２５６は、いくつかの実施形態において、アップリンクトラヒック応答チャネルセグメント情報に対応し、図５の説明に示すように、セグメント当たりの変調シンボルの数２６０は２８であり、対応するビット識別情報２６２は、インデックス付きのセグメント変調シンボルをインデックス付きの無線端末スクランブリング識別子ビットに適合させる情報を格納する。実施例を続けると、タイプＮチャネルセグメント情報２５８は、いくつかの実施形態において、アップリンク専用制御チャネルセグメント情報に対応し、図９の説明に示すように、セグメント当たりの変調シンボルの数２６４は２１であり、対応するビット識別情報２６６は、上記セグメントのインデックス付きの変調シンボルを、インデックス付きの無線端末スクランブリング識別子ビットに適合させる情報を格納する。ＷＴスクランブリング適用可能なセグメントの情報２５２は、（ｉ）図１１の説明に示すような１４の変調シンボルアップリンク状態要求チャネルセグメントおよび（ii）図１３の説明に示すような２８の変調シンボルアップリンク状態遷移応答チャネルセグメントに対応する情報からなるセットも含む。
【００３２】
スクランブリングを用いないセグメントのための情報２５４は、アップリンクアクセス交換チャネルセグメント、アップリンクアクセス信号タイミング制御チャネルセグメントおよびアップリンクアクセス電力制御チャネルセグメントに関する情報からなるセットを含む。
【００３３】
相回転／スクランブリング識別ビットマッピング情報２４８は、変調シンボルに対応する無線端末スクランブリング識別子ビットが、０という値を有する場合は、アンスクランブリングサブモジュール２３２によって適用すべき相回転の量が０度であることを、一方、変調シンボルに対応する無線端末スクランブリング識別子ビットの値が、１という値である場合には、アンスクランブリングサブモジュール２３２によって適用すべき相回転の量が１８０度であることを識別する情報を含む。他の実施形態は、異なるマッピングを用いてもよい。
【００３４】
いくつかの実施形態においては、複数の無線端末スクランブリング識別子ビットが、スクランブルすべき１つの変調シンボルに関連付けられている。例えば、２つの無線端末スクランブリング識別子ビットのパターンは、回転の量、例えば、００＝０回転、０１＝２７０度の時計回りの回転、１０＝１８０度の時計回りの回転および１１＝９０度の時計回りの回転を表すことができる。このような実施形態において、このようなマッピング情報は、アンスクランブリングサブモジュール２３２によって用いられる情報２３６に格納される。
【００３５】
いくつかの実施形態において、変調シンボルのためのスクランブリングを決めるのに用いられる無線端末スクランブリング識別子ビットの数は、上記セグメントに用いられている変調シンボル群の種類の関数である。例えば、ＢＰＳＫ群が上記セグメントに対して用いられる場合、例えば、０度および１８０度の回転の可能性に対応して、１つのスクランブリング識別子ビットが用いられ、ＱＰＳＫ群が上記セグメントに対して用いられる場合には、最大で２つのスクランブリング識別子ビット、例えば、０度、９０度、１８０度および２７０度の回転の可能性に対応する２つのスクランブリング識別子ビットが用いられ、ＱＡＭ１６群が上記セグメントに対して用いられる場合は、最大で４つのスクランブリング識別子ビット、例えば、０度、２２．５度、４５度、６７．５度、９０度、１１２．５度、１３５度、１５７．５度、１８０度、２０２．５度、２２５度、２４７．５度、２７０度、２９２．５度、３１５度、３３７．５度の回転の可能性に対応する４つのスクランブリング識別子ビットが用いられる。
【００３６】
無線端末データ／情報２３８は、無線端末データ／情報（無線端末１データ／情報２６８、…、無線端末Ｎデータ／情報２７０）からなる複数のセットを含む。無線端末１データ／情報２６８は、アクティブユーザ識別子２７２、無線端末スクランブリング識別子２７４、ユーザ機器／セッション／リソース情報２７６、ＷＴ１に関連付けられたアップリンクセグメントに対応する受信変調シンボルからなる複数のセット（受信変調シンボル２７８からなるセット１、…、受信変調シンボル２８０からなるセットＭ）、受信情報（復元された情報ビット２８２、…、復元された情報ビット２８４）からなる複数のセットおよび基地局接続ポイント情報２８５を含む。
【００３７】
アクティブユーザ識別子２７２は、基地局セクタ接続ポイントに関連付けられた複数のアクティブユーザ識別子のうちの１つに対応する基地局が割り当てたユーザ識別子であり、例えば、７ビット長の識別子である。基地局接続ポイント情報２７６は、ＷＴ１が現在、使用している基地局接続ポイントに関連付けられた情報、例えば、スロープ値、基地局セクタ値、基地局セクタタイプ値、トーンブロックおよび／またはキャリア識別子値等のセル識別子値を含む。いくつかの実施形態において、基地局２００は、マルチセクタ基地局であり、例えば、３つの基地局セクタを備える３セクタ基地局である。いくつかのこのような実施形態において、各セクタは、例えば、セクタ化されたアンテナが用いられているレシーバモジュール／トランスミッタモジュールのペアを有する。いくつかの実施形態において、基地局２００は、このセクタのうちの１つ以上において、多数のアップリンク／ダウンリンクトーンブロックのペアをサポートする。基地局２００に対する、基地局セクタとトーンブロックのペアの組合せの各々は、異なる基地局セクタ接続ポイントに対応する。ＷＴスクランブリング識別子２７４は、アクティブユーザ識別子２７２と関連付けられ、かつ、情報２５２によって識別されるセグメントに対して変調シンボルごとに変調シンボルをスクランブルするためにＷＴ１によって用いられる無線端末スクランブリング識別子である。ＷＴスクランブリング識別子２７４は、例えば、ＷＴ１によって実行されるアンスクランブリング操作の際、および間違って上記セグメントに送信され、しかし異なる無線端末スクランブリング識別子を用いている他の無線端末からの干渉を除去する際に用いられる情報復元モジュール２３０によって使用される。
【００３８】
ユーザ／機器／セッション／リソース情報２７６は、ＷＴ１ユーザ識別情報、ＷＴ１機器識別および制御パラメータ情報、ＷＴ１セッション識別情報、ＷＴ１セッション状態情報、ＷＴ１ピアノード情報、およびＷＴ１に割り当てられたリソースを識別するＷＴ１リソース情報、例えば、アクティブユーザ識別子等の基地局が割り当てた識別子、Ｏｎ状態識別子、および上記無線端末に割り当てられた制御およびトラヒックチャネルセグメント等のリンクリソースを含む。ＷＴ１に割り当てられたエアリンクリソースは、セグメント割り当てモジュール２２６によってＷＴ１に割り当てられるセグメントを含む。
【００３９】
受信変調シンボルからなるセット２７８、２８０は、セグメント復元モジュール２２８の出力であり、また、情報復元モジュール２３０への入力である。受信変調シンボル２７８からなるセット１は、アップリンク信号を伝送する非競合ベースの使用に対してＷＴ１に割り当てられているアップリンクセグメントに応じた変調シンボルからなるセットを含む。受信変調シンボル２７８からなるセット、例えば、セット１は、１つ以上の受信ＯＦＤＭシンボル２４０、…、２４２からの受信変調シンボルに対応する。例えば、受信変調シンボルからなるセット１  ２７８が専用制御チャネルセグメントに対応すると見なす。いくつかのこのような実施形態においては、セット２７８は、２１の受信ＯＦＤＭシンボルの各々からの１つの変調シンボルを含む。受信変調シンボル２７８からなるセット１は、例えば、上記セグメントが専用となっている無線端末が上記セグメントに送信しており、かつ別の無線端末が間違って上記セグメントに送信している場合において、複数の無線端末からの重畳信号を含むことができる。復元された情報ビット２８２は受信変調シンボル２７８からなるセット１に対応し、情報復元モジュール２３０からの出力を表す。
【００４０】
受信したＯＦＤＭシンボル１情報２４０、…、受信したＯＦＤＭシンボルＮ情報２４２は、アップリンク信号を、例えば、多元接続ＯＦＤＭ無線通信システムの一部としての基地局セクタ接続ポイントに送信する複数の無線端末に対応する情報を表す。いくつかの実施形態において、各ＯＦＤＭシンボルは、１００トーン以上のトーンブロックに対応する。例えば、１つの例示的な実施形態において、各ＯＦＤＭシンボルは１１３の連続的なＯＦＤＭトーンに対応し、個々のトーンは個々の変調シンボルを伝送するのに用いられ、上記変調シンボルのうちの少なくともいくつかは、無線端末により上記変調シンボルの相に関してスクランブルされており、前記スクランブリング操作は上記無線端末に関連付けられた無線端末スクランブリング識別子を用い、少なくともいくつかの異なる無線端末は異なる無線端末スクランブリング識別子を用いる。
【００４１】
図３は、様々な実施形態に従って実施される例示的な無線端末（ＷＴ）３００、例えば、移動ノードの図である。例示的な無線端末３００は図１のシステム１００の例示的なＷＴのうちのいずれかとすることができる。例示的なＷＴ３００は、レシーバモジュール３０２、トランスミッションモジュール３０４、プロセッサ３０６、ユーザＩ／Ｏ機器３０８、および、様々な要素がこれを通じてデータおよび情報を互いにやりとりすることができるバス３１２を介して結合された記憶装置３１０を含む。記憶装置３１０は、ルーチン３１８とデータ／情報３２０とを含む。プロセッサ３０６、例えば、ＣＰＵは、ルーチン３１８を実行し、記憶装置３２０内のデータ／情報３２０を用いて無線端末３００の動作を制御し、上記方法を実施する。
【００４２】
レシーバモジュール３０２、例えば、ＯＦＤＭレシーバは、無線端末３００がそれを介して基地局からブロードキャスト信号およびＷＴ３００のみに伝えられた信号を含むダウンリンク信号を受信する受信アンテナ３０３に結合されている。レシーバモジュール３０２は、無線端末スクランブリング識別子とは無関係に、基地局によってスクランブルされている、ＷＴ３００のみに伝えられたスクランブルされたダウンリンク変調シンボルを受信する。いくつかの実施形態において、上記基地局のダウンリンクスクランブリングは、ＯＦＤＭシンボルベースで、ＯＦＤＭシンボル構造の一部として実行される。一つの例示的な実施形態において、１つのＯＦＤＭシンボルは１つのシンボルの送信期間に１００以上のＯＦＤＭトーン、例えば、１１３の連続的なＯＦＤＭトーンからなる１つのトーンブロックを用いる。個々の変調シンボルは上記ＯＦＤＭシンボルの異なるトーンに関連付けられている。レシーバモジュール３０２は、送信前に基地局によって符号化された信号を復号するのに用いられるデコーダ３１４を含む。
【００４３】
トランスミッションモジュール３０４、例えば、ＯＦＤＭトランスミッタは、無線端末３００がそれを介してアップリンク信号を基地局に送信する送信アンテナ３０５に結合されており、上記アップリンク信号のうちの少なくともいくつかは無線端末スクランブリング識別子の関数として相に関してスクランブルされている変調シンボルを含む。いくつかの実施形態においては、追加的なスクランブリングが、基地局セクタ接続ポイントおよび／またはＯＦＤＭシンボル内の変調シンボルの位置に対応する基地局セクタ情報の関数として、ＯＦＤＭシンボルベースで、ＯＦＤＭシンボル構造の一部として実行される。トランスミッションモジュール３０４は変調シンボルに伝えられる情報ビットを符号化するエンコーダ３１６を含む。エンコーダモジュール３１６は、少なくともいくつかの異なる種類のセグメントに対して異なる符号化スキームを用いる。様々な実施形態において、同じアンテナがレシーバモジュール３０２およびトランスミッタモジュール３０４の両方に、例えば、上記無線端末に含まれるデュプレックスインタフェースモジュールと共に用いられる。
【００４４】
ユーザＩ／Ｏ機器３０８、例えば、マイクロフォン、キーパッド、キーボード、スイッチ、カメラ、スピーカ、ディスプレイ等は、ＷＴ３００のユーザがユーザデータを入力し、ユーザデータを出力し、およびアプリケーションを制御することを可能にする。加えて、ユーザＩ／Ｏ機器３０８は、ＷＴ３００のオペレータがＷＴ３００の様々な機能を制御すること、例えば、通信セッションを始めることを可能にする。
【００４５】
ルーチン３１８は、通信ルーチン３２２と無線端末制御ルーチン３２４とを含む。通信ルーチン３２２はＷＴ３００によって用いられる様々な通信プロトコルを実行する。無線端末制御ルーチン３２４は、アップリンクセグメント使用判断モジュール３２６、アップリンクセグメントタイプ判断モジュール３２８、スクランブリングモジュール３３０、スクランブリングバイパスモジュール３３４およびダウンリンクアンスクランブリングモジュール３３６を含む。
【００４６】
アップリンクセグメント使用判断モジュール３２６は、アップリンク信号を基地局に送信するために、反復性アップリンクチャネル構造におけるどのアップリンクチャネルセグメントを上記無線端末によって用いるべきかを判断する。アップリンクセグメント使用判断モジュール３２６は、どのアップリンクセグメントが無線端末３００専用になっているかを判断する際に、受信したリソース割り当て情報および無線端末モード情報を用いる。その時々において、異なるアップリンクセグメントがこの独占的使用のためにＷＴ３００専用になる。例えば、無線端末３００が動作ＯＮ状態にあってアップリンクトラヒックチャネルセグメントを割り当てることができる場合、無線端末３００は、例えば、アップリンク制御チャネルリポートを伝送するために、基地局が割り当てた無線端末ＯＮ状態識別子の関数として専用制御チャネル（dedicated control channel; DCCH）セグメントのセットを受信し、また、ＷＴ３００がスリープ状態にある場合には、無線端末３００は、このようなＤＣＣＨセグメントを受信しない。別の実施例として、無線端末３００が反復性構造における特定のアップリンクトラヒック応答チャネルセグメントを用いるか用いないかは、上記無線端末が上記応答が返されている、対応するダウンリンクトラヒックチャネルセグメントを受信するようにスケジュールされているか否かによる。また、アップリンクセグメント使用判断モジュール３２６は、例えば、基地局セクタ接続ポイントとの接続の確立を要求するためのアクセス信号を送信する場合に、どの競合ベースのセグメントＷＴ３００が用いるべきかを判断する。
【００４７】
アップリンクセグメントタイプ判断モジュール３２８は、無線端末３００が使用するように判断されているアップリンクセグメントのために、ユーザ固有スクランブリングを上記セグメントに対して用いるべきか否かに関連して上記セグメントのタイプを判断する。動作は、上記判断の結果として、少なくともいくつかのアップリンクセグメントのために、スクランブリングモジュール３３０またはスクランブリングバイパスモジュール３３４に向けられる。加えて、セグメントがユーザ固有のスクランブリングを用いるように判断された場合、モジュール３２８はＷＴスクランブリング適用可能なセグメントの情報３７６からセグメント情報からなる関連するセットをフェッチし、この情報をスクランブリングモジュール３３０へ転送する。
【００４８】
スクランブリングモジュール３３０は、無線端末スクランブリング識別子の関数として複数の変調シンボルをスクランブルし、スクランブルされた変調シンボルを生成する。例えば、スクランブリングモジュール３３０は、スクランブルされていないアップリンクセグメント変調シンボル３５８を入力として用い、スクランブルされたアップリンクセグメント変調シンボル３６０を出力として生成する。スクランブリングモジュール３３０は、異なるサイズのアップリンクセグメント、例えば、２８のインデックス付きの変調シンボルを有するセグメント、２１のインデックス付きの変調シンボルを有するセグメントまたは１４のインデックス付きの変調シンボルを有するセグメントに対してスクランブリングを実行する。チャネルセグメントタイプ情報からなるセット、例えば、情報セット３８０または情報セット３８２は、セグメントの判断されたタイプに従って、スクランブリングモジュール３３０によって用いられる。
【００４９】
スクランブリングモジュール３３０は、相回転モジュール３３２を含む。相回転モジュール３３２は、セグメントに対応するスクランブルすべき複数の変調シンボルに、シンボルごとに、相回転操作を受けさせ、この場合、各相回転は、複数の異なる量のうちの１つである量だけ行われる。上記変調シンボルのうちの特定の１つに適用される回転の量は、無線端末スクランブリング識別子の対応するビットによって決まる。この例示的な実施形態において、相回転の異なる量は、０度および１８０度であり、および相回転モジュールは、上記無線端末識別子の対応するビットが０の場合には０度の相回転を入力変調シンボルに適用し、上記無線端末識別子の対応するビットが１の場合には、１８０度の相回転を入力変調シンボルに適用する。
【００５０】
様々な実施形態において、上記変調シンボルのうちの特定の１つに適用される相回転の量は、上記無線端末スクランブリング識別子の対応するＬ個のビットによって決まり、ただし、Ｌは正の数であり、例えば、複数の２Ｌの量は、Ｌビットによって表すことができる。この例示的な実施形態においては、Ｌ＝１であり、位相シフトの２つの量、０度および１８０度を表すことができる。いくつかの他の実施形態においては、Ｌはより大きな正の数であり、例えば、Ｌ＝２であり、予め定義された回転方向に従って４つの異なる量、例えば、０度、９０度、１８０度および２７０度の位相シフトを表すことができる。
【００５１】
スクランブリングモジュール３３０は、異なるサイズのセグメント、例えば、変調シンボルの数が無線端末スクランブリング識別子におけるビットの数を超えるセグメント、変調シンボルの数が無線端末スクランブリング識別子におけるビットの数に一致するセグメント、および変調シンボルの数が無線端末スクランブリング識別子におけるビットの数よりも少ないセグメントに対してスクランブリングを実行する。
【００５２】
１つの実施例として、上記無線端末スクランブリング識別子がＫビットの識別子であり、スクランブルすべきセグメントがＳ個の変調シンボルを有し、ただし、ＫおよびＳは正の整数であり、かつＳ−Ｋ＝Ｘであり、Ｘは負ではない整数であると考える。上記セグメントの変調シンボルは、例えば、最上位から最小位に順序付けられ、また、Ｋビットの無線端末スクランブリング識別子のビットにはインデックスが付けられる。相回転モジュール３３２は複数の変調シンボルのうちの最初のＫ個にシンボルごとに相回転操作を受けさせ、この場合、上記相回転は上記無線端末スクランブリング識別子における対応するビットによって決まる第１および第２の量の一方であり、Ｋ個の変調シンボルからなるこの第１のセットを処理するたびに、上記無線端末スクランブリング識別子の各ビットが用いられる。上記実施例を続けると、スクランブリングモジュール３３０は、相回転操作が上記セグメントのＸの追加的な変調シンボルに対して実行されることを制御する制御ルーチンおよび／または回路を含む。相回転モジュール３３２は、上記セグメントのＸの追加的な変調シンボルにシンボルごとに相回転操作を受けさせ、この場合、上記相回転は、上記無線端末識別子における対応するビットによって決まる第１および第２の量の一方である。この実施例において、Ｋビットの無線端末スクランブリング識別子の各個々のビットは、上記セグメントのＳ個の変調シンボルのうちの最大で（Ｓ／Ｋ）個の異なる変調シンボルに対応する。
【００５３】
別の実施例として、無線端末スクランブリング識別子がＫビットの識別子であり、スクランブルすべきセグメントがＴ個のシンボルを有し、ＫおよびＴが正の整数であり、ＫはＴよりも大きいと考える。上記セグメントの変調シンボルは、例えば、最上位から最小位に順序付けられ、上記Ｋビットの無線端末スクランブリング識別子のビットにはインデックスが付けられる。相回転モジュール３３２は、Ｔ個の変調シンボルにシンボルごとに相回転操作を受けさせ、この場合、上記相回転は上記無線端末スクランブリング識別子における対応するビットによって決まる第１および第２の量の一方であり、上記無線端末スクランブリング識別子の各ビットは、Ｔ個の変調シンボルからなるこのセットを処理するたびに最大で用いられる。
【００５４】
スクランブリングバイパスモジュール３３４は、無線端末３００によって用いられる少なくともいくつかのアップリンクセグメント、例えば、アップリンクアクセス交換チャネルセグメント、アップリンクアクセスタイミング制御チャネルセグメントおよびアップリンクアクセス信号電力制御チャネルセグメントに対応する変調シンボルに関して変調シンボルスクランブリング操作をバイパスする。
【００５５】
ダウンリンクアンスクランブリングモジュール３３６は、受信したスクランブルダウンリンク変調シンボル３６２を、基地局セクタ接続ポイントに対応する基地局セクタパラメータ情報、例えば、基地局セクタスロープ値および基地局セクタタイプ識別子値等のセル識別子の関数としてアンスクランブル化する。この例示的な実施形態において、ダウンリンクアンスクランブリングモジュール３３６は、変調シンボルアンスクランブリングを実行する際に、ＯＦＤＭシンボルにおける変調シンボルインデックスも用いる。ダウンリンクアンスクランブリングモジュール３３６の出力は、アンスクランブルダウンリンク変調シンボル３６４である。
【００５６】
また、様々な実施形態において、上記無線端末は、ＯＦＤＭシンボル構造の一部として、追加的な変調シンボルスクランブリングを、基地局接続ポイント識別子情報、例えば、セル識別子、セクタ識別子、セクタタイプ識別子、トーンブロック識別子および／またはキャリア識別子の関数として実行する。１つのこのような例示的な実施形態において、いくつかの変調シンボルは、無線端末スクランブリング識別子変調シンボルスクランブリングおよび基地局接続ポイント情報ベースのスクランブリングの両方を受けさせられる。例えば、ある無線端末に割り当てられたアップリンク専用制御チャネルセグメントは、２１のＯＦＤＭトーンシンボルを、２１のＯＦＤＭシンボルの各々に１つのトーンシンボルを含むことができ、上記２１のＯＦＤＭトーンシンボルの各々は、上記専用制御チャネルセグメントの１つの変調シンボルを伝達するのに用いられる。上記専用制御チャネルセグメントによって伝達される情報ビットは、２１のインデックス付きの変調シンボルからなるセットにマッピングすることができる。上記専用制御チャネルセグメントのインデックス付きの変調シンボルは、接続と関連付けられた無線端末のスクランブリング識別子を用いてスクランブルされる。加えて、ＯＦＤＭシンボル構造の一部として、ＯＦＤＭシンボルの変調シンボルは、基地局接続ポイント識別子情報および上記ＯＦＤＭシンボル内の変調シンボル位置の関数としてスクランブルを受けさせられる。この結果、上記無線端末によって送信される所定のＯＦＤＭシンボルにおいて、個々の変調シンボルには、２つのレベルのスクランブリングを受けさせることができる。１つのこのような実施形態においては、２種類のスクランブリングを受けさせられるいくつかのこのような個々の変調シンボルは、無線端末アップリンクトラヒック応答チャネルセグメント変調シンボル、無線端末アップリンク専用制御チャネルセグメント変調シンボル、無線端末アップリンク状態要求チャネルセグメント変調シンボルおよび無線端末アップリンク状態遷移応答チャネルセグメント変調シンボルを含む。
【００５７】
データ／情報３２０は、ユーザ／機器／セッション／リソース情報３３８、システムデータ／情報３４０、アクティブユーザ識別子１  ３４２、…、アクティブユーザ識別子ｎ  ３５０、無線端末スクランブリング識別子１  ３４４、…、無線端末スクランブリング識別子ｎ  ３５２、基地局接続ポイント１識別子情報３４６、…、基地局接続ポイントｎ識別子情報３５４、基地局接続ポイント１セクタパラメータ情報３４８、…、基地局接続ポイントｎセクタパラメータ情報３５６、アンスクランブルアップリンクセグメント変調シンボル３５８、スクランブルアップリンクセグメント変調シンボル３６０、受信したスクランブルダウンリンク変調シンボル３６２およびアンスクランブルダウンリンク変調シンボル３６４を含む。
【００５８】
ユーザ／機器／セッション／リソース情報３３８は、ユーザ識別情報、機器識別および制御パラメータ情報、セッション識別情報、セッション状態情報、ピアノード情報、および上記無線端末に割り当てられたリソースを識別するリソース情報、例えば、アクティブユーザ識別子、Ｏｎ状態識別子、および無線端末３００に割り当てられた制御およびトラヒックチャネルセグメント等のエアリンクリソース等の基地局が割り当てられた識別子を含む。
【００５９】
基地局セクタ接続ポイントは、基地局、基地局セクタ、および上記基地局セクタによって用いられるダウンリンク／アップリンクトーンブロックペアに対応する。各トーンブロックペアは、少なくとも１つの搬送周波数に関連付けられる。無線端末３００が、それに対してアクティブユーザである各基地局セクタ接続ポイントの場合、上記無線端末は、情報のセットを有する。上記情報のセットは、基地局が割り当てられたアクティブユーザ識別子、例えば、アクティブユーザ識別子１  ３４２、無線端末スクランブリング識別子、例えば、ＷＴスクランブリング識別子１  ３４４、基地局接続ポイント識別子情報、例えば、基地局接続ポイント１識別子情報３４６、および基地局接続ポイントセクタパラメータ情報、例えば、基地局接続ポイント１セクタパラメータ情報３４８を含む。様々な実施形態において、関連する上記ＷＴスクランブリング識別子は上記アクティブユーザ識別子よりも多くのビットを含む。上記アクティブユーザ識別子は、いくつかの実施形態においては、７ビット長の識別子である。上記ＷＴスクランブリング識別子は、いくつかの実施形態において、１６ビット長の識別子である。ＢＳ接続ポイント識別子情報は、いくつかの実施形態において、セル識別子、セクタ識別子、セクタタイプ識別子およびトーンブロックまたはキャリア識別子を含む。基地局接続ポイントセクタパラメータ情報は、いくつかの実施形態において、基地局セクタスロープ値、および上記基地局接続ポイントに関連付けられた基地局セクタタイプ値を含む。
【００６０】
様々な実施形態において、ＷＴスクランブリング識別子は上記基地局接続ポイントに関して対応するアクティブユーザ識別子に関連付けられる無線端末に伝送される値である。いくつかの実施形態において、ＷＴ３００は、各々が、異なる基地局セクタ接続ポイントと関連付けられている多数のＷＴスクランブリング識別子、例えば、識別子３４４、３５２を有することができる。例えば、ＷＴスクランブリング識別子１  ３４４は、第１の接続を介して基地局セクタ接続ポイント１へ伝送されるアップリンクセグメント信号に対応してスクランブリング操作を実行する場合に、ＷＴ３００によって用いられ、一方、ＷＴスクランブリング識別子ｎ  ３５２は、第２の接続を介して基地局接続ポイントｎへ伝送されるアップリンクセグメント信号に対応してスクランブリング操作を実行する場合に用いられる。いくつかの実施形態においては、ＷＴ３００および基地局セクタ接続ポイントに応じて、このＷＴスクランブリング識別子はその時々において異なることができる。
【００６１】
いくつかの実施形態において、ＷＴ３００は、上記基地局セクタ接続ポイントに関係なく、同じ無線端末スクランブリング識別子を用いる。例えば、単一の無線端末スクランブリング識別子は、上記通信システム全体において、ＷＴ３００によって用いられるＷＴ３００にロードすることができる。
【００６２】
システムデータ／情報３４０は、基地局データ／情報からなる複数のセット（基地局１データ／情報３６６、…、基地局Ｍデータ／情報３６８）、アップリンクセグメント構造情報３７４および相回転／スクランブリング識別子ビットマッピング情報３９４を含む。ＢＳ１データ／情報３６６は、ダウンリンクタイミング／周波数構造情報３７０およびアップリンクタイミング／周波数構造情報３７２を含む。アップリンクセグメント構造情報３７４は、無線端末スクランブリング適用可能なセグメントの情報３７６と、スクランブリングを用いないセグメントのための情報３７８とを含む。無線端末スクランブリング適用可能なセグメントの情報３７６は、無線端末スクランブリング識別子に基づいて変調シンボルスクランブリングを用いる異なる種類のアップリンクセグメントに対応する情報の複数のセット（タイプ１チャネルセグメント情報３８０、…、タイプＮチャネルセグメント情報３８２）を含む。タイプ１チャネルセグメント情報３８０は、セグメント当たりの変調シンボルの数３８４と、対応するビット識別情報３８６とを含む。同様に、タイプＮチャネルセグメント情報３８２は、セグメント当たりの変調シンボルの数３９０と、対応するビット識別情報３９２とを含む。
【００６３】
ダウンリンクタイミング／周波数構造情報３７０は、例えば、ダウンリンクチャネルセグメント情報、ＯＦＤＭシンボルタイミング情報、ＯＦＤＭシンボルのグループ分けに関する情報、反復性チャネルセグメント／タイミング情報、ダウンリンクトーンブロック情報、ダウンリンク搬送周波数情報およびダウンリンクトーンホッピング情報を含む。アップリンクタイミング／周波数構造情報３７２は、例えば、アップリンクチャネルセグメント情報、ＯＦＤＭシンボルタイミング情報、ＯＦＤＭシンボルのグループ分けに関する情報、反復性チャネルセグメント／タイミング情報、アップリンクトーンブロック情報、アップリンク搬送周波数情報、アップリンクトーンホッピング情報および休止情報を含む。
【００６４】
ＷＴスクランブリング適用可能なセグメントの情報３７６は、あるセグメントの変調シンボルがＷＴスクランブリング識別子を用いてスクランブリングモジュール３３０によってスクランブルされる異なる種類のアップリンクセグメントに対応する情報を含む。例えば、タイプ１チャネルセグメント情報３８０は、いくつかの実施形態において、アップリンクトラヒック応答チャネルセグメント情報に対応し、セグメント当たりの変調シンボルの数３８４は２８であり、対応するビット識別情報３８６は、図５の説明に示すように、インデックス付きのセグメント変調シンボルをインデックス付きの無線端末スクランブリング識別子に適合させる情報を格納する。上記実施例について続けると、タイプＮチャネルセグメント情報３８２は、いくつかの実施形態において、アップリンク専用制御チャネルセグメント情報に対応し、図９の説明に示すように、セグメント当たりの変調シンボルの数３９０は２１であり、対応するビット識別情報３９２は、上記セグメントのインデックス付きの変調シンボルをインデックス付きの無線端末スクランブリング識別子ビットに適合する情報を格納する。ＷＴスクランブリング適用可能なセグメントの情報３８２はまた、（ｉ）図１１の説明に示すような１４の変調シンボルアップリンク状態要求チャネルセグメントおよび（ii）図１３の説明に示すような２８の変調シンボルアップリンク状態遷移応答チャネルセグメントに対応する情報からなるセットも含む。
【００６５】
スクランブリングを用いないセグメントのための情報３７８は、アップリンクアクセス交換チャネルセグメント、アップリンクアクセス信号タイミング制御チャネルセグメントおよびアップリンクアクセス電力制御チャネルセグメントに関する情報からなるセットを含む。情報３７８に含まれている情報は、スクランブリングバイパスモジュール３３４によって用いられる。
【００６６】
相回転／スクランブリング識別ビットマッピング情報３９４は、ある変調シンボルに対応する無線端末スクランブリング識別子ビットが０という値を有する場合に、相回転モジュールによって適用される相回転の量が０度であり、一方、ある変調シンボルに対応する無線端末スクランブリング識別子ビットの値が１である場合には、相回転モジュールによって適用される相回転の量が１８０度であることを識別する情報を含む。他の実施形態は、異なるマッピングを用いてもよい。
【００６７】
いくつかの実施形態においては、複数の無線端末スクランブリング識別子ビットが、スクランブルされる変調シンボルに関連付けられている。例えば、２つの無線端末スクランブリング識別子ビットのパターンは、回転の量、例えば、００＝０回転、０１＝９０度の時計回りの回転、１０＝１８０度の時計回りの回転および１１＝２７０度の時計回りの回転を表すことができる。このような実施形態において、このようなマッピング情報は相回転モジュール３３２によって用いられる情報３９４に格納される。
【００６８】
いくつかの実施形態において、変調シンボルのためのスクランブリングを決めるのに用いられる無線端末スクランブリング識別子ビットの数は、上記セグメントに用いられている変調シンボル群の種類の関数である。例えば、ＢＰＳＫ群が上記セグメントに対して用いられる場合、例えば、０度および１８０度の回転の可能性に対応して、１つのスクランブリング識別子ビットが用いられ、ＱＰＳＫ群が上記セグメントに対して用いられる場合には、最大で２つのスクランブリング識別子ビット、例えば、０度、９０度、１８０度および２７０度の回転の可能性に対応する２つのスクランブリング識別子ビットが用いられ、ＱＡＭ１６群が上記セグメントに対して用いられる場合は、最大で４つのスクランブリング識別子ビット、例えば、０度、２２．５度、４５度、６７．５度、９０度、１１２．５度、１３５度、１５７．５度、１８０度、２０２．５度、２２５度、２４７．５度、２７０度、２９２．５度、３１５度、３３７．５度の回転の可能性に対応する４つのスクランブリング識別子ビットが用いられる。
【００６９】
図４は、様々な実施形態による例示的な無線端末スクランブリング識別子を示す。図中４００は、例示的な１６ビットの無線端末スクランブリング識別子（ｗｔＳｃｒａｍｂｌｉｎｇＩＤ）のフォーマットを示す。この１６ビットは、最上位ビットから最下位ビットに順序付けられている（Ｚ１５、Ｚ１４、Ｚ１３、Ｚ１２、Ｚ１１、Ｚ１０、Ｚ９、Ｚ８、Ｚ７、Ｚ６、Ｚ５、Ｚ４、Ｚ３、Ｚ２、Ｚ１、Ｚ０）。他の実施形態においては、上記無線端末スクランブリング識別子の長さは異なっていてもよい。上記無線端末スクランブリング識別子は無線端末スクランブリングマスク（ｗｔＳｃｒａｍｂｌｉｎｇＭａｓｋ）と呼ばれる場合もある。上記無線端末スクランブリング識別子は、上記無線端末が、例えば、登録プロセスまたはハンドオフプロセスの一部として基地局セクタ接続ポイントに接続される場合に、上記無線端末に与えられる数字である。上記無線端末スクランブリング識別子は、例えば、アクティブＨｏｌｄ状態またはアクティブＯｎ状態等の動作のアクティブ状態時に、上記接続を用いて所定の種類のチャネルセグメントの変調シンボルをスクランブルする際に用いられる。いくつかの実施形態において、上記所定の種類のチャネルセグメントは、無線端末アップリンクトラヒック応答チャネルセグメント、無線端末アップリンク専用制御チャネルセグメント、無線端末アップリンク状態要求チャネルセグメントおよび無線端末状態遷移応答チャネルセグメントの少なくとも１つを含む。いくつかの実施形態において、無線端末が多数の同時接続を有する場合、上記無線端末は各接続と関連付けられた無線端末スクランブリング識別子を有し、また、異なる接続に対応する上記スクランブリング識別子の値は同じでも異なっていてもよい。加えて、いくつかの実施形態において、特定の基地局セクタおよびトーンブロックに対応する所与の基地局セクタ接続の場合、あるときに１つの無線端末に割り当てられる上記無線端末スクランブリング識別子は、別のときに同じ無線端末に割り当てられた上記無線端末スクランブリング識別子と同じでも異なっていてもよい。
【００７０】
図中４０２は、第１の基地局セクタ接続に対応する例示的な無線端末Ａに現時点で割り当てられている例示的な１６ビットの無線端末スクランブリング識別子の説明図であり、上記識別子は、最上位ビットから最下位ビットへのビットパターン（０１０１０１０１０１０１０１０１）を有する。図中４０４は、第２の基地局セクタ接続に対応する例示的な無線端末Ａに現時点で割り当てられている例示的な１６ビットの無線端末スクランブリング識別子の説明図であり、上記識別子は、最上位ビットから最下位ビットへのビットパターン（０００００１１１０００００００１）を有する。図中４０６は、別の基地局セクタ接続に対応する例示的な無線端末Ｂに現時点で割り当てられている例示的な１６ビットの無線端末スクランブリング識別子の説明図であり、上記識別子は、最上位ビットから最下位ビットへのビットパターン（１０１１００１０００１００１１１）を有する。ＷＴ  ＡおよびＷＴ  Ｂは、例示的な無線端末３００に従って実施することができる。
【００７１】
図５は、例示的な実施形態の場合の、上記順序付けられた無線端末スクランブリング識別ビットの各々と順序付けられたアップリンクトラヒック応答チャネルセグメント変調シンボルの各々との間の例示的なマッピング関連付けを示す図（５００）である。ブロック５０２は、最上位変調シンボルから最下位変調シンボルへの２８の順序付けられた変調シンボル（Ｘ２７、Ｘ２６、Ｘ２５、Ｘ２４、Ｘ２３、Ｘ２２、Ｘ２１、Ｘ２０、Ｘ１９、Ｘ１８、Ｘ１７、Ｘ１６、Ｘ１５、Ｘ１４、Ｘ１３、Ｘ１２、Ｘ１１、Ｘ１０、Ｘ９、Ｘ８、Ｘ７、Ｘ６、Ｘ５、Ｘ４、Ｘ３、Ｘ２、Ｘ１、Ｘ０）を示し、これらの変調シンボルは、スクランブラ５０４に入力される。スクランブラ５０４は、最上位の無線端末スクランブリングＩＤビットＺ１５を最上位の入力変調シンボルＸ２７と関連付け、変調シンボルＸ２７をＺ１５の値の関数としてスクランブルし、例えば、相回転し、出力の最上位変調シンボルＹ２７を生成する。このプロセスは、各無線端末スクランブリング識別子ビットが用いられるまで、連続する下位変調シンボル／無線端末スクランブリングＩＤビットのペアの各々に対して繰り返される。この結果、入力変調シンボル値（Ｘ２７、Ｘ２６、Ｘ２５、Ｘ２４、Ｘ２３、Ｘ２２、Ｘ２１、Ｘ２０、Ｘ１９、Ｘ１８、Ｘ１７、Ｘ１６、Ｘ１５、Ｘ１４、Ｘ１３、Ｘ１２）は、スクランブリングＩＤビット（Ｚ１５、Ｚ１４、Ｚ１３、Ｚ１２、Ｚ１１、Ｚ１０、Ｚ９、Ｚ８、Ｚ７、Ｚ６、Ｚ５、Ｚ４、Ｚ３、Ｚ２、Ｚ１、Ｚ０）と関連付けられ、スクランブリング操作は、スクランブラ５０４によって実行され、それぞれ出力のスクランブルされた変調シンボル（Ｙ２７、Ｙ２６、Ｙ２５、Ｙ２４、Ｙ２３、Ｙ２２、Ｙ２１、Ｙ２０、Ｙ１９、Ｙ１８、Ｙ１７、Ｙ１６、Ｙ１５、Ｙ１４、Ｙ１３、Ｙ１２）を生成する。残りの入力変調シンボル値（Ｘ１１、Ｘ１０、Ｘ９、Ｘ８、Ｘ７、Ｘ６、Ｘ５、Ｘ４、Ｘ３、Ｘ２、Ｘ１、Ｘ０）は、スクランブリングＩＤビット（Ｚ１５、Ｚ１４、Ｚ１３、Ｚ１２、Ｚ１１、Ｚ１０、Ｚ９、Ｚ８、Ｚ７、Ｚ６、Ｚ５、Ｚ４）と関連付けられ、スクランブリング操作は、スクランブラ５０４によって実行され、それぞれ出力のスクランブルされた変調シンボル（Ｙ１１、Ｙ１０、Ｙ９、Ｙ８、Ｙ７、Ｙ６、Ｙ５、Ｙ４、Ｙ３、Ｙ２、Ｙ１、Ｙ０）を生成する。図に示すように、最上位から最下位まで上記セグメントの順序付けられた入力変調シンボルを処理する場合、上記順序付けられたスクランブリングＩＤビットの各々が用いられるまで、上記無線端末スクランブリングＩＤビットが最上位から最下位まで１つずつ用いられる。この結果、上記無線端末は、上記セグメントに対応する上記順序付けられた入力変調シンボルからなるセットの残りの入力変調シンボルが処理されるまで、最上位から最下位まで１つずつ上記スクランブリングＩＤビットを再利用することを始める。このスクランブリング操作は、ブロック５０６に示す最上位変調シンボルから最下位変調シンボルまで２８の順序付けられたスクランブルされた変調シンボル（Ｙ２７、Ｙ２６、Ｙ２５、Ｙ２４、Ｙ２３、Ｙ２２、Ｙ２１、Ｙ２０、Ｙ１９、Ｙ１８、Ｙ１７、Ｙ１６、Ｙ１５、Ｙ１４、Ｙ１３、Ｙ１２、Ｙ１１、Ｙ１０、Ｙ９、Ｙ８、Ｙ７、Ｙ６、Ｙ５、Ｙ４、Ｙ３、Ｙ２、Ｙ１、Ｙ０）を生成し、これらの変調シンボルは、上記無線端末トラヒック応答チャネルセグメントを通じて伝送される。
【００７２】
図６は、様々な実施形態による例示的な変調シンボルスクランブリングを示す図（６００）である。ブロック６０２は、単一の情報ビット＝０に対応する最上位から最下位の変調シンボルへの２８の順序付けられた変調シンボル（（１，０）、（−１，０）、（１，０）、（−１，０）、（１，０）、（−１，０）、（１，０）、（１，０）、（−１，０）、（１，０）、（−１，０）、（１，０）、（−１，０）、（１，０）、（１，０）、（−１，０）、（１，０）、（−１，０）、（１，０）、（−１，０）、（１，０）、（１，０）、（−１，０）、（１，０）、（−１，０）、（１，０）、（−１，０）、（１，０））からなる例示的なＷＴアップリンクトラヒックチャネル応答チャネルセグメントセットを示す。図６のブロック６０２は、図５のブロック５０２に相当する。ＷＴ  Ａスクランブラ６０４は、ＷＴスクランブリングＩＤ＝０１０１０１０１０１０１０１０１を用いて、ブロック６０２の変調入力変調シンボルをスクランブルし、および最上位から最下位へのスクランブルされた変調シンボルからなる順序付けられたセット（（１，０）、（１，０）、（１，０）、（１，０）、（１，０）、（１，０）、（１，０）、（−１，０）、（−１，０）、（−１，０）、（−１，０）、（−１，０）、（−１，０）、（−１，０）、（１，０）、（１，０）、（１，０）、（１，０）、（１，０）、（１，０）、（１，０）、（−１，０）、（−１，０）、（−１，０）、（−１，０）、（−１，０）、（−１，０）、（−１，０））を生成する。図６のブロック６０４は、図４の４０２のｗｔＳｃｒａｍｂｌｉｎｇＩＤを用いる図５のブロック５０４に相当し、図６のブロック６０６は図５のブロック５０６に相当する。
【００７３】
図７は、様々な実施形態による例示的な変調シンボルスクランブリングを示す図（７００）である。ブロック７０２は、単一の情報ビット＝０に相当する、最上位から最下位の変調シンボルへの２８の順序付けられた変調シンボル（（１，０）、（−１，０）、（１，０）、（−１，０）、（１，０）、（−１，０）、（１，０）、（１，０）、（−１，０）、（１，０）、（−１，０）、（１，０）、（−１，０）、（１，０）、（１，０）、（−１，０）、（１，０）、（−１，０）、（１，０）、（−１，０）、（１，０）、（１，０）、（−１，０）、（１，０）、（−１，０）、（１，０）、（−１，０）、（１，０））からなる例示的なＷＴアップリンクトラヒックチャネル応答チャネルセグメントセットを示す。図７のブロック７０２は、図５のブロック５０２に相当する。ＷＴ  Ａスクランブラ７０４は、ＷＴスクランブリングＩＤ＝０００００１１１０００００００１を用いてブロック７０２の変調入力変調シンボルをスクランブルし、最上位から最下位へのスクランブルされた変調シンボルからなる順序付けられたセット（（１，０）、（−１，０）、（１，０）、（−１，０）、（１，０）、（１，０）、（−１，０）、（−１，０）、（−１，０）、（１，０）、（−１，０）、（１，０）、（−１，０）、（１，０）、（１，０）、（１，０）、（１，０）、（−１，０）、（１，０）、（−１，０）、（１，０）、（−１，０）、（１，０）、（−１，０）、（−１，０）、（１，０）、（−１，０）、（１，０））を生成する。図７のブロック７０４は、図４の図４０４のｗｔＳｃｒａｍｂｌｉｎｇＩＤを用いた図５のブロック５０４に相当し、図７のブロック７０６は、図５のブロック５０６に相当する。
【００７４】
図８は、様々な実施形態による別の例示的な変調シンボルスクランブリングを示す図（８００）である。ブロック８０２は、単一の情報ビット＝０に相当する、最上位から最下位の変調シンボルへの２８の順序付けられた変調シンボル（（１，０）、（−１，０）、（１，０）、（−１，０）、（１，０）、（−１，０）、（１，０）、（１，０）、（−１，０）、（１，０）、（−１，０）、（１，０）、（−１，０）、（１，０）、（１，０）、（−１，０）、（１，０）、（−１，０）、（１，０）、（−１，０）、（１，０）、（１，０）、（−１，０）、（１，０）、（−１，０）、（１，０）、（−１，０）、（１，０））からなる例示的なＷＴアップリンクトラヒック応答チャネルセグメントセットを示す。図８のブロック８０２は図５のブロック５０２に相当する。ＷＴ  Ｂスクランブラ８０４は、ＷＴスクランブリングＩＤ＝１０１１００１０００１００１１１を用いてブロック８０２の変調入力変調シンボルをスクランブルし、最上位から最下位へのスクランブルされた変調シンボルからなる順序付けられたセット（（−１，０）、（−１，０）、（−１，０）、（１，０）、（１，０）、（−１，０）、（−１，０）、（１，０）、（−１，０）、（１，０）、（１，０）、（１，０）、（−１，０）、（−１，０）、（−１，０）、（１，０）、（−１，０）、（−１，０）、（−１，０）、（１，０）、（１，０）、（１，０）、（１，０）、（１，０）、（−１，０）、（１，０）、（１，０）、（１，０））を生成する。図８のブロック８０４は、図４の４０６のｗｔＳｃｒａｍｂｌｉｎｇＩＤを用いた図５のブロック５０４に相当し、図６のブロック８０６は、図５のブロック５０６に相当する。
【００７５】
図９は、例示的な実施形態における例示的なセグメントの場合の、順序付けられた無線端末スクランブリング識別ビットからなるセットのサブセットの各々と順序付けられた無線端末アップリンク専用制御チャネル変調シンボルの各々との間の例示的なマッピング関連付けを示す図（９００）である。ブロック９０２は、最上位変調シンボルから最下位変調シンボルへの２１の順序付けられた変調シンボル（Ｘ２０、Ｘ１９、Ｘ１８、Ｘ１７、Ｘ１６、Ｘ１５、Ｘ１４、Ｘ１３、Ｘ１２、Ｘ１１、Ｘ１０、Ｘ９、Ｘ８、Ｘ７、Ｘ６、Ｘ５、Ｘ４、Ｘ３、Ｘ２、Ｘ１、Ｘ０）を示し、これらの変調シンボルは、スクランブラ９０４に入力される。スクランブラ９０４は、最上位の無線端末スクランブリングＩＤビットＺ１５を最上位の入力変調シンボルＸ２０と関連付け、変調シンボルＸ２０をＺ１５の値の関数としてスクランブルし、例えば、相回転し、出力の最上位変調シンボルＹ２０を生成する。このプロセスは、各無線端末スクランブリング識別子ビットが用いられるまで、連続する下位変調シンボル／無線端末スクランブリングＩＤビットのペアの各々に対して繰り返される。この結果、入力変調シンボル値（Ｘ２０、Ｘ１９、Ｘ１８、Ｘ１７、Ｘ１６、Ｘ１５、Ｘ１４、Ｘ１３、Ｘ１２、Ｘ１１、Ｘ１０、Ｘ９、Ｘ８、Ｘ７、Ｘ６、Ｘ５）は、スクランブリングＩＤビット（Ｚ１５、Ｚ１４、Ｚ１３、Ｚ１２、Ｚ１１、Ｚ１０、Ｚ９、Ｚ８、Ｚ７、Ｚ６、Ｚ５、Ｚ４、Ｚ３、Ｚ２、Ｚ１、Ｚ０）と関連付けられ、スクランブリング操作はスクランブラ９０４によって実行され、それぞれ出力のスクランブルされた変調シンボル（Ｙ２０、Ｙ１９、Ｙ１８、Ｙ１７、Ｙ１６、Ｙ１５、Ｙ１４、Ｙ１３、Ｙ１２、Ｙ１１、Ｙ１０、Ｙ９、Ｙ８、Ｙ７、Ｙ６、Ｙ５）を生成する。残りの入力変調シンボル値（Ｘ４、Ｘ３、Ｘ２、Ｘ１、Ｘ０）はスクランブリングＩＤビット（Ｚ１５、Ｚ１４、Ｚ１３、Ｚ１２、Ｚ１１）と関連付けられ、スクランブリング操作はスクランブラ９０４によって実行され、それぞれ出力のスクランブルされた変調シンボル（Ｙ４、Ｙ３、Ｙ２、Ｙ１、Ｙ０）を生成する。図に示すように、最上位から最下位まで上記セグメントの順序付けられた入力変調シンボルを処理する場合、上記順序付けられたスクランブリングＩＤビットの各々が用いられるまで、上記無線端末スクランブリングＩＤビットが最上位から最下位まで１つずつ用いられる。この結果、上記無線端末は、上記セグメントに対応する上記順序付けられた入力変調シンボルからなるセットの残りの入力変調シンボルが処理されるまで、最上位から最下位まで１つずつ上記スクランブリングＩＤビットを再利用することを始める。このスクランブリング操作は、ブロック９０６に示す最上位変調シンボルから最下位変調シンボルまで２１の順序付けられスクランブルされた変調シンボル（Ｙ２０、Ｙ１９、Ｙ１８、Ｙ１７、Ｙ１６、Ｙ１５、Ｙ１４、Ｙ１３、Ｙ１２、Ｙ１１、Ｙ１０、Ｙ９、Ｙ８、Ｙ７、Ｙ６、Ｙ５、Ｙ４、Ｙ３、Ｙ２、Ｙ１、Ｙ０）を生成し、これらの変調シンボルは上記無線端末アップリンク専用制御チャネルセグメントを通じて伝送される。
【００７６】
図１０は、様々な実施形態による例示的な変調シンボルスクランブリングを示す図（１０００）である。ブロック１１０２は、スプリットトーンフォーマットにおける８つの順序付けられた情報ビット＝０００００００１に対応する最上位から最下位の変調シンボルへの２１の順序付けられた変調シンボル（（１，０）、（１，０）、（１，０）、（１，０）、（１，０）、（１，０）、（１，０）、（１，０）、（０，１）、（０，−１）、（０，１）、（−１，０）、（０，１）、（−１，０）、（１，０）、（０，１）、（０，−１）、（０，１）、（−１，０）、（０，１）、（−１，０））からなる例示的なＷＴアップリンク専用制御チャネルセグメントセットを示す。図１０のブロック１００２は、図９のブロック９０２に相当する。ＷＴ  Ｂスクランブラ１００４は、ＷＴスクランブリングＩＤ＝１０１１００１０００１００１１１を用いてブロック１００２の変調入力変調シンボルをスクランブルし、および最上位から最下位へのスクランブルされた変調シンボルからなる順序付けられたセット（（−１，０）、（１，０）、（−１，０）、（−１，０）、（１，０）、（１，０）、（−１，０）、（１，０）、（０，１）、（０，−１）、（０，−１）、（−１，０）、（０，１）、（１，０）、（−１，０）、（０，−１）、（０，１）、（０，１）、（１，０）、（０，−１）、（−１，０））を生成する。図１０のブロック１００４は、図４の図４０６のｗｔＳｃｒａｍｂｌｉｎｇＩＤを用いた図９のブロック５０４に相当し、図１０のブロック１００６は、図９のブロック９０６に相当する。
【００７７】
図１１は、例示的な実施形態における例示的なセグメントの場合の、順序付けられた無線端末スクランブリング識別ビットからなるセットのサブセットの各々と、順序付けられた無線端末状態要求チャネル変調シンボルの各々との間の例示的なマッピング関連付けを示す図（１１００）である。ブロック１１０２は、最上位変調シンボルから最下位変調シンボルへの１４の順序付けられた変調シンボル（Ｘ１３、Ｘ１２、Ｘ１１、Ｘ１０、Ｘ９、Ｘ８、Ｘ７、Ｘ６、Ｘ５、Ｘ４、Ｘ３、Ｘ２、Ｘ１、Ｘ０）を示し、これらの変調シンボルはスクランブラ１１０４に入力される。スクランブラ１１０４は、最上位の無線端末スクランブリングＩＤビットＺ１５を最上位の入力変調シンボルＸ１３と関連付け、変調シンボルＸ１３をＺ１５の値の関数としてスクランブルし、例えば、相回転し、出力の最上位変調シンボルＹ１３を生成する。このプロセスは、上記セグメントの入力変調シンボルがそれ以上なくなるまで、連続する下位変調シンボル／無線端末スクランブリングＩＤビットのペアの各々に対して繰り返される。この結果、入力変調シンボル値（Ｘ１３、Ｘ１２、Ｘ１１、Ｘ１０、Ｘ９、Ｘ７、Ｘ６、Ｘ５、Ｘ４、Ｘ３、Ｘ２、Ｘ１、Ｘ０）はスクランブリングＩＤビット（Ｚ１５、Ｚ１４、Ｚ１３、Ｚ１２、Ｚ１１、Ｚ１０、Ｚ９、Ｚ８、Ｚ７、Ｚ６、Ｚ５、Ｚ４、Ｚ３、Ｚ２）と関連付けられ、スクランブリング操作はスクランブラ１１０４によって実行され、それぞれ出力のスクランブルされた変調シンボル（Ｙ１３、Ｙ１２、Ｙ１１、Ｙ１０、Ｙ９、Ｙ８、Ｙ７、Ｙ６、Ｙ５、Ｙ４、Ｙ３、Ｙ２、Ｙ１、Ｙ０）を生成する。このスクランブリング操作は、ブロック１１０６に示す最上位変調シンボルから最下位変調シンボルまで１４の順序付けられスクランブルされた変調シンボル（Ｙ１３、Ｙ１２、Ｙ１１、Ｙ１０、Ｙ９、Ｙ８、Ｙ７、Ｙ６、Ｙ５、Ｙ４、Ｙ３、Ｙ２、Ｙ１、Ｙ０）を生成し、これらの変調シンボルは上記無線端末アップリンク状態要求チャネルセグメントを通じて伝送される。
【００７８】
図１２は、様々な実施形態による例示的な変調シンボルスクランブリングを示す図（１２００）である。ブロック１２０２は、２つの順序付けられた情報ビット＝１１に対応する最上位から最下位の変調シンボルへの１４の順序付けられた変調シンボル（（１，０）、（１，０）、（−１，０）、（−１，０）、（−１，０）、（−１，０）、（１，０）、（１，０）、（１，０）、（−１，０）、（−１，０）、（−１，０）、（−１，０）、（１，０））からなる例示的なＷＴアップリンク状態要求チャネルセグメントのセットを示す。図１２のブロック１２０２は図１１のブロック１１０２に相当する。ＷＴ  Ｂスクランブラ１２０４は、ＷＴスクランブリングＩＤ＝１０１１００１０００１００１１１を用いて、ブロック１２０２の変調入力変調シンボルをスクランブルし、および最上位から最下位へのスクランブルされた変調シンボルからなる順序付けられたセット（（−１，０）、（１，０）、（１，０）、（１，０）、（−１，０）、（−１，０）、（−１，０）、（１，０）、（１，０）、（−１，０）、（１，０）、（−１，０）、（−１，０）、（−１，０））を生成する。図１２ブロック１２０４は図４の図４０６のｗｔＳｃｒａｍｂｌｉｎｇＩＤを用いた図１１のブロック１１０４に相当し、図１２のブロック１２０６は、図１１のブロック１１０６に相当する。
【００７９】
図１３は、例示的な実施形態の場合の、順序付けられた無線端末スクランブリング識別ビットの各々と、順序付けられたアップリンク状態遷移応答チャネルセグメント変調シンボルの各々との間の例示的なマッピング関連付けを示す図（１３００）である。ブロック１３０２は、最上位変調シンボルから最下位変調シンボルへの２８の順序付けられた変調シンボル（Ｘ２７、Ｘ２６、Ｘ２５、Ｘ２４、Ｘ２３、Ｘ２２、Ｘ２１、Ｘ２０、Ｘ１９、Ｘ１８、Ｘ１７、Ｘ１６、Ｘ１５、Ｘ１４、Ｘ１３、Ｘ１２、Ｘ１１、Ｘ１０、Ｘ９、Ｘ８、Ｘ７、Ｘ６、Ｘ５、Ｘ４、Ｘ３、Ｘ２、Ｘ１、Ｘ０）を示し、これらの変調シンボルはスクランブラ１３０４に入力される。スクランブラ１３０４は、最上位の無線端末スクランブリングＩＤビットＺ１５を最上位の入力変調シンボルＸ２７と関連付け、変調シンボルＸ２７をＺ１５の値の関数としてスクランブルし、例えば、相回転し、出力の最上位変調シンボルＹ２７を生成する。このプロセスは、各無線端末スクランブリング識別子ビットが用いられるまで、連続する下位変調シンボル／無線端末スクランブリングＩＤビットのペアの各々に対して繰り返される。この結果、入力変調シンボル値（Ｘ２７、Ｘ２６、Ｘ２５、Ｘ２４、Ｘ２３、Ｘ２２、Ｘ２１、Ｘ２０、Ｘ１９、Ｘ１８、Ｘ１７、Ｘ１６、Ｘ１５、Ｘ１４、Ｘ１３、Ｘ１２）はスクランブリングＩＤビット（Ｚ１５、Ｚ１４、Ｚ１３、Ｚ１２、Ｚ１１、Ｚ１０、Ｚ９、Ｚ８、Ｚ７、Ｚ６、Ｚ５、Ｚ４、Ｚ３、Ｚ２、Ｚ１、Ｚ０）と関連付けられ、スクランブリング操作はスクランブラ１３０４によって実行され、それぞれ出力のスクランブルされた変調シンボル（Ｙ２７、Ｙ２６、Ｙ２５、Ｙ２４、Ｙ２３、Ｙ２２、Ｙ２１、Ｙ２０、Ｙ１９、Ｙ１８、Ｙ１７、Ｙ１６、Ｙ１５、Ｙ１４、Ｙ１３、Ｙ１２）を生成する。残りの入力変調シンボル値（Ｘ１１、Ｘ１０、Ｘ９、Ｘ８、Ｘ７、Ｘ６、Ｘ５、Ｘ４、Ｘ３、Ｘ２、Ｘ１、Ｘ０）はスクランブリングＩＤビット（Ｚ１５、Ｚ１４、Ｚ１３、Ｚ１２、Ｚ１１、Ｚ１０、Ｚ９、Ｚ８、Ｚ７、Ｚ６、Ｚ５、Ｚ４）と関連付けられ、スクランブリング操作はスクランブラ１３０４によって実行され、それぞれ出力のスクランブルされた変調シンボル（Ｙ１１、Ｙ１０、Ｙ９、Ｙ８、Ｙ７、Ｙ６、Ｙ５、Ｙ４、Ｙ３、Ｙ２、Ｙ１、Ｙ０）を生成する。図に示すように、最上位から最下位まで上記セグメントの順序付けられた入力変調シンボルを処理する場合、上記順序付けられたスクランブリングＩＤビットの各々が用いられるまで、上記無線端末スクランブリングＩＤビットが最上位から最下位まで１つずつ用いられる。この結果、上記無線端末は、上記セグメントに対応する上記順序付けられた入力変調シンボルからなるセットの残りの入力変調シンボルが処理されるまで、最上位から最下位まで１つずつ上記スクランブリングＩＤビットを再利用することを始める。このスクランブリング操作は、ブロック１３０６に示す最上位変調シンボルから最下位変調シンボルまで２８の順序付けられスクランブルされた変調シンボル（Ｙ２７、Ｙ２６、Ｙ２５、Ｙ２４、Ｙ２３、Ｙ２２、Ｙ２１、Ｙ２０、Ｙ１９、Ｙ１８、Ｙ１７、Ｙ１６、Ｙ１５、Ｙ１４、Ｙ１３、Ｙ１２、Ｙ１１、Ｙ１０、Ｙ９、Ｙ８、Ｙ７、Ｙ６、Ｙ５、Ｙ４、Ｙ３、Ｙ２、Ｙ１、Ｙ０）を生成し、これらの変調シンボルは上記無線端末状態遷移応答チャネルセグメントを通じて伝送される。
【００８０】
図１４は、様々な実施形態による例示的な変調シンボルスクランブリングを示す図（１４００）である。ブロック１４０２は、単一の情報ビット＝１に対応する最上位から最下位の変調シンボルへの２８の順序付けられた変調シンボル（（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０）、（１，０））からなる例示的なＷＴアップリンク状態遷移応答チャネルセグメントセットを示す。図１４のブロック１４０２は、図１３のブロック１３０２に相当する。ＷＴ  Ｂスクランブラ１４０４は、ＷＴスクランブリングＩＤ＝１０１１００１０００１００１１１を用いて、ブロック１４０２の変調入力変調シンボルをスクランブルし、および最上位から最下位へのスクランブルされた変調シンボルからなる順序付けられたセット（（−１，０）、（１，０）、（−１，０）、（−１，０）、（１，０）、（１，０）、（−１，０）、（１，０）、（１，０）、（１，０）、（−１，０）、（１，０）、（１，０）、（−１，０）、（−１，０）、（−１，０）、（−１，０）、（１，０）、（−１，０）、（−１，０）、（１，０）、（１，０）、（−１，０）、（１，０）、（１，０）、（１，０）、（−１，０）、（１，０））を生成する。図１４のブロック１４０４は、図４の４０６のｗｔＳｃｒａｍｂｌｉｎｇＩＤを用いた図１３のブロック１３０４に相当し、図１４のブロック１４０６は図１３のブロック１３０６に相当する。
【００８１】
図１５は、様々な実施形態による無線端末を作動させる例示的な方法のフローチャート１５００である。動作は、ステップ１５０２で始まり、上記無線端末は、電源が入れられて、初期化される。動作は、ステップ１５０２からステップ１５０４へ進む。ステップ１５０４において、上記無線端末は、第１の基地局セクタ接続に対応する第１の無線端末スクランブリング識別子を受信する。いくつかの実施形態において、ステップ１５０４の動作は、基地局セクタへの登録プロセスの一部として、または、１つの基地局セクタ接続ポイントから別の基地局セクタ接続ポイントへのハンドオフ動作の一部として実行される。
【００８２】
動作は、上記第１の接続を介して送信される、指定された種類のアップリンクセグメントの各アップリンクセグメントに対して、ステップ１５０４からステップ１５０６へ進む。いくつかの実施形態において、上記指定された種類のアップリンクセグメントは、（ｉ）アップリンクトラヒック応答チャネルセグメント、（ii）アップリンク専用制御チャネルセグメント、（iii）アップリンク状態要求チャネルセグメント、および（iv）アップリンク状態遷移応答チャネルセグメントのうちの少なくとも１つを含む。いくつかの実施形態において、上記指定された種類のアップリンクセグメントは、上記無線端末に割り当てられ、上記無線端末は、アクティブモードの動作、例えば、無線端末動作のアクティブＯＮ状態またはアクティブＨＯＬＤ状態に入る。
【００８３】
ステップ１５０６において、上記無線端末は、順序付けられ、符号化された変調シンボルからなる第１のセットを処理して、上記第１の基地局セクタに対応するアップリンクセグメントを介して伝送される、順序付けられ、スクランブルされ、符号化された変調シンボルからなる第１のセットを生成する。いくつかの実施形態において、上記順序付けられ、符号化された変調シンボルからなる第１のセットのサイズは、セグメントの種類の関数として変化する。例えば、例示的な実施形態においては、（アップリンクトラヒック応答チャネルセグメント、アップリンク専用制御チャネルセグメント、アップリンク状態要求チャネルセグメント、アップリンク状態遷移応答チャネルセグメントのための）順序付けられ、符号化された変調シンボルからなる第１のセットは、それぞれ、（２８、２１、１４、２８）の変調シンボルを有する。ステップ１５０６は、サブステップ１５０８、１５１０、１５１２および１５１４を含む。
【００８４】
サブステップ１５０８において、上記無線端末は、上記第１の無線端末スクランブリング識別子のビットのうちの１つを、上記変調シンボルからなる第１のセットの変調シンボルの各１つと関連付ける。いくつかの実施形態において、この関連付けは、上記第１のセットの最上位の変調シンボルが上記無線端末スクランブリング識別子の最上位ビットと関連付けられ、上記第１のセットの次の最上位変調シンボルが上記無線端末スクランブリング識別子の次の最上位ビットと関連付けられ、以下、同様であるようになっている。このことは、上記変調シンボルからなる第１のセットの各要素が無線端末スクランブリング識別子と関連付けられるまで続き、上記無線端末スクランブリング識別子の各要素が上記第１のセットの変調シンボルと関連付けられ、および関連付けられていない上記第１のセットの残りの変調シンボルがまだある場合には、この関連付けプロセスは上記無線端末スクランブリング識別子の最上位ビットの別の関連付けで始められ、次の最下位ビットに連続的に進んで、以下同様に進められる。動作は、上記変調シンボルからなる第１のセットの各変調シンボルに対してサブステップ１５０８からサブステップ１５１０へ進む。
【００８５】
サブステップ１５１０において、上記無線端末は、上記第１のセットの変調シンボルに対応する、関連付けられた無線端末スクランブリングＩＤビットの値により、異なるステップに進む。上記関連付けられたスクランブリングビットが０である場合、動作は、サブステップ１５１０からサブステップ１５１２へ進むが、上記関連付けられたスクランブリングビットが１である場合には、動作は、サブステップ１５１０からサブステップ１５１４へ進む。
【００８６】
サブステップ１５１２において、上記無線端末は、上記変調シンボルを第１の量、例えば、０度、相回転させて、スクランブルされた変調シンボルを生成する。サブステップ１５１４において、上記無線端末は、上記変調シンボルを第２の量、例えば、１８０度だけ相回転させて、スクランブルされた変調シンボルを生成する。
【００８７】
動作は、ステップ１５０６からステップ１５１６へ進む。ステップ１５１６において、上記無線端末は、上記第１の基地局セクタ接続を用いて、上記セグメントに対応する、順序付けられ、スクランブルされ、符号化された変調シンボルからなる第１のセットを上記第１の基地局セクタ接続ポイントへ送信する。
【００８８】
いくつかの実施形態において、上記無線端末は、基地局セクタとの複数の接続をサポートすることができる。このような実施形態において、動作は、スタートステップ１５０２から、ステップ１５０４に加えて、スタートステップ１５１８へ進むことができる。ステップ１５１８において、上記無線端末は、第２の基地局セクタに対応する第２の無線端末スクランブリング識別子を受信する。例えば、上記第２の基地局セクタ接続は、（ｉ）上記第１の基地局セクタ接続ポイントとは異なるセルの基地局セクタ接続ポイント、（ii）上記第１の基地局セクタ接続ポイントと同じセルではあるが、異なるセクタの基地局セクタ接続ポイント、および（iii）上記第１の基地局セクタ接続ポイントと同じセクタの同じセルの基地局セクタ接続ポイントであるが、異なるトーンブロック、例えば、周波数および／またはキャリアの異なるセットを用いた接続ポイントのうちの１つに対応する。
【００８９】
動作は、上記第２の接続を介して送信される指定された種類のアップリンクセグメントの各アップリンクセグメントに対して、ステップ１５１８からステップ１５２０へ進む。ステップ１５２０において、上記無線端末は、順序付けられ、符号化された変調シンボルからなる第２のセットを処理して、上記第２の基地局セクタに対応する上記アップリンクセグメントを介して伝送される、順序付けられ、スクランブルされ符号化された変調シンボルからなる第２のセットを生成する。ステップ１５２０は、サブステップ１５２２、１５２４、１５２６および１５２８を含む。
【００９０】
サブステップ１５２２において、上記無線端末は、上記第２の無線端末スクランブリング識別子のビットのうちの１つを、上記変調シンボルからなる第２のセットの変調シンボルの各１つと関連付ける。上記第２のセットの各変調シンボルに対して、動作は、ステップ１５２２からステップ１５２４へ進む。
【００９１】
サブステップ１５２４において、上記無線端末は、上記第２のセットの変調シンボルに対応する、関連付けられた無線端末スクランブリングＩＤの値により、異なるステップに進む。上記関連付けられたスクランブリングビットが０である場合、動作は、サブステップ１５２４からサブステップ１５２６へ進むが、上記関連付けられたスクランブリングビットが１である場合には、動作は、サブステップ１５２４からサブステップ１５２８へ進む。
【００９２】
サブステップ１５２６において、上記無線端末は、上記変調シンボルを第３の量、例えば０度、相回転させて、スクランブルされた変調シンボルを生成する。サブステップ１５２８において、上記無線端末は、上記変調シンボルを第４の量、例えば１８０度だけ相回転させて、スクランブルされた変調シンボルを生成する。
【００９３】
動作は、ステップ１５２６またはステップ１５２８からステップ１５３０へ進む。ステップ１５３０において、上記無線端末は、上記第２の基地局セクタ接続を用いて、上記セグメントに対応する順序付けられ、スクランブルされて符号化された変調シンボルからなる第２のセットを上記第２の基地局セクタ接続ポイントへ送信する。
【００９４】
図１６は、例示的な実施形態における例示的なセグメントの場合の、順序付けられた無線端末スクランブリング識別ビットからなるセットのサブセットの各々と、順序付けられた無線端末アップリンク専用制御チャネル変調シンボルの各々との間の例示的なマッピング関連付けを示す図（１６００）である。ブロック１６０２は、最上位変調シンボルから最下位変調シンボルへの２１の順序付けられた変調シンボル（Ｘ２０、Ｘ１９、Ｘ１８、Ｘ１７、Ｘ１６、Ｘ１５、Ｘ１４、Ｘ１３、Ｘ１２、Ｘ１１、Ｘ１０、Ｘ９、Ｘ８、Ｘ７、Ｘ６、Ｘ５、Ｘ４、Ｘ３、Ｘ２、Ｘ１、Ｘ０）を示し、これらの変調シンボルはスクランブラ１６０４に入力される。スクランブラ１６０４は、最上位の無線端末スクランブリングＩＤビットＺ１５および次の最上位無線端末スクランブリングＩＤビットＺ１４を最上位の入力変調シンボルＸ２０と関連付け、変調シンボルＸ２７をＺ１５およびＺ１４の値の関数としてスクランブルし、例えば、相回転し、出力の最上位変調シンボルＹ２０を生成する。このプロセスは、各無線端末スクランブリング識別子ビットが用いられるまで、連続する下位変調シンボル／無線端末スクランブリングＩＤビットのペアの各々に対して繰り返される。この結果、入力変調シンボル値（Ｘ２０、Ｘ１９、Ｘ１８、Ｘ１７、Ｘ１６、Ｘ１５、Ｘ１４、Ｘ１３）は、スクランブリングＩＤビット（Ｚ１５およびＺ１４、Ｚ１３およびＺ１２、Ｚ１１およびＺ１０、Ｚ９およびＺ８、Ｚ７およびＺ６、Ｚ５およびＺ４、Ｚ３およびＺ２、Ｚ１およびＺ０）と関連付けられ、スクランブリング操作は、スクランブラ１６０４によって実行され、出力のスクランブルされた変調シンボル（Ｙ２０、Ｙ１９、Ｙ１８、Ｙ１７、Ｙ１６、Ｙ１５、Ｙ１４、Ｙ１３）を生成する。残りの入力変調シンボル値（Ｘ１２、Ｘ１１、Ｘ１０、Ｘ９、Ｘ８、Ｘ７、Ｘ６、Ｘ５、Ｘ４、Ｘ３、Ｘ２、Ｘ１、Ｘ０）は、スクランブリングＩＤビット（Ｚ１５およびＺ１４、Ｚ１３およびＺ１２、Ｚ１１およびＺ１０、Ｚ９およびＺ８、Ｚ７およびＺ６、Ｚ５およびＺ４、Ｚ３およびＺ２、Ｚ１およびＺ０、Ｚ１５およびＺ１４、Ｚ１３およびＺ１２、Ｚ１１およびＺ１０、Ｚ９およびＺ８、Ｚ７およびＺ６）と関連付けられ、スクランブリング操作はスクランブラ１６０８によって実行され、それぞれ出力のスクランブルされた変調シンボル（Ｙ１２、Ｙ１１、Ｙ１０、Ｙ９、Ｙ８、Ｙ７、Ｙ６、Ｙ５、Ｙ４、Ｙ３、Ｙ２、Ｙ１、Ｙ０）を生成する。図に示すように、最上位から最下位まで上記セグメントの順序付けられた入力変調シンボルを処理する場合、上記順序付けられたスクランブリングＩＤビットの各々が用いられるまで、上記無線端末スクランブリングＩＤビットが最上位から最下位まで１つずつ用いられる。この結果、上記無線端末は、最上位から最下位まで２つずつ上記スクランブリングＩＤビットを再利用することを始める。このプロセスは、無線端末スクランブリングＩＤビットのペアと関連付けるべき入力変調シンボルがこれ以上なくなるまで繰り返される。このスクランブリング操作は、ブロック１６０６に示す最上位変調シンボルから最下位変調シンボルまで２１の順序付けられ、スクランブルされた変調シンボル（Ｙ２０、Ｙ１９、Ｙ１８、Ｙ１７、Ｙ１６、Ｙ１５、Ｙ１４、Ｙ１３、Ｙ１２、Ｙ１１、Ｙ１０、Ｙ９、Ｙ８、Ｙ７、Ｙ６、Ｙ５、Ｙ４、Ｙ３、Ｙ２、Ｙ１、Ｙ０）を生成し、これらの変調シンボルは上記無線端末アップリンク専用制御チャネルセグメントを通じて伝送される。
【００９５】
図１７は、様々な実施形態による例示的な変調シンボルスクランブリングを示す図（１７００）である。この例示的な実施形態において、各入力変調シンボルは無線端末スクランブリング識別子における２ビットの関数としてスクランブルされる。表１７０１は、２つのスクランブリングマスクビット（００，０１，１０，１１）の場合の４つの可能性の各々と、上記スクランブラによって時計回り方向に適用される相回転の対応する量（０度、９０度、１８０度、２７０度）とをそれぞれ示す。ブロック１７０２は、スプリットトーンフォーマットにおける８つの順序付けられた情報ビット＝０００００００１に対応する最上位から最下位の変調シンボルへの２１の順序付けられた変調シンボル（（１，０）、（１，０）、（１，０）、（１，０）、（１，０）、（１，０）、（１，０）、（１，０）、（０，１）、（０，−１）、（０，１）、（−１，０）、（０，１）、（−１，０）、（１，０）、（０，１）、（０，−１）、（０，１）、（−１，０）、（０，１）、（−１，０））からなる例示的なＷＴアップリンク専用制御チャネルセグメントセットを示す。ＷＴ  Ｂスクランブラ１７０４は、１６ビットのＷＴ  ＢスクランブリングＩＤ（ＷＴスクランブリングＩＤ＝１０１１００１０００１００１１１）を用いて、ブロック１７０２の変調入力変調シンボルをスクランブルし、および最上位から最下位へのスクランブルされた変調シンボルからなる順序付けられたセット（（−１，０）、（０，１）、（１，０）、（−１，０）、（１，０）、（−１，０）、（０，−１）、（０，１）、（０，−１）、（１，０）、（０，１）、（１，０）、（０，１）、（１，０）、（０，−１）、（−１，０）、（０，１）、（−１，０）、（−１，０）、（０，−１）、（−１，０））を生成する。ブロック１７０２は図１６のブロック１６０２に相当し、ブロック１７０４はＷＴ  ＢスクランブリングＩＤ１７０１を用いた図１６のブロック１６０４に相当し、ブロック１７０６は図１６のブロック１６０６に相当する。
【００９６】
スクランブルされる１つのセグメントにおける複数の変調シンボルに対して実行される個々の変調シンボルスクランブリングは、例えば、具体的な実施により、連続的におよび／または並行して実行することができる。同様に、１つのセグメントに対応する複数の受信した変調シンボルに対して実行される個々の変調シンボルのアンスクランブリングは、例えば、連続的におよび／または並行して実行することができる。
【００９７】
図１８（図１８Ａ、１８Ｂ）は、様々な実施形態による、基地局を作動させる例示的な方法のフローチャートである。例示的な方法はステップ１８０２で始まり、上記基地局は電源が入れられて、初期化される。スタートステップ１８０２において、上記基地局は専用アップリンクチャネルセグメントを複数の無線端末に割り当てる。動作は、スタートステップ１８０２からステップ１８０４に進む。
【００９８】
ステップ１８０４において、上記基地局はＯＦＤＭシンボルを受信し、受信した各ＯＦＤＭシンボルは復数の無線端末から受信する複数の変調シンボルを含む。ある場合には、上記受信した変調シンボルのうちのいくつかは２つの異なる無線端末からの重畳信号を含み、上記２つの異なる無線端末の一方は専用アップリンクセグメントに正しく送信される無線端末であり、上記２つの異なる無線端末の他方は同じ専用アップリンクセグメントに間違って送信される無線端末である。動作は、ステップ１８０４からステップ１８０６および１８０８へ進む。
【００９９】
ステップ１８０６において、上記基地局は受信した変調シンボルからなる第１のセットを第１の専用アップリンクチャネルセグメントと関連付け、前記第１の専用アップリンクチャネルセグメントは第１の無線端末スクランブリング識別子を有する第１の無線端末専用になっている。動作は、ステップ１８０６から接続ノードＡ  １８１０を介してステップ１８１４へ進む。
【０１００】
ステップ１８０８において、上記基地局は受信した変調シンボルからなる第２のセットを第２の専用アップリンクチャネルセグメントと関連付け、前記第２の専用アップリンクチャネルセグメントは第２の無線端末スクランブリング識別子を有する第２の無線端末専用になっている。動作は、ステップ１８０８から接続ノードＢ  １８１２を介してステップ１８１６へ進む。
【０１０１】
上記第１の専用アップリンクチャネルセグメントは、アップリンクトラヒック応答チャネルセグメント、アップリンク専用制御チャネルセグメント、アップリンク状態要求チャネルセグメントおよびアップリンク状態遷移応答チャネルセグメントのうちの１つである。上記第２の専用アップリンクチャネルセグメントは、アップリンクトラヒック応答チャネルセグメント、アップリンク専用制御チャネルセグメント、アップリンク状態要求チャネルセグメントおよびアップリンク状態遷移応答チャネルセグメントのうちの１つである。無線端末スクランブリング識別子変調シンボルスクランブリングを用いる異なる種類の専用アップリンクチャネルセグメントの各々に対する変調シンボルの数は、セグメント当たりで異なる数の変調シンボルを有することができる。例えば、１つの例示的な実施形態において、アップリンクトラヒック応答チャネルセグメントは２８の変調シンボルを伝達し、アップリンク専用制御チャネルセグメントは２１の変調シンボルを伝達し、アップリンク状態要求チャネルセグメントは１４の変調シンボルを伝達し、およびアップリンク状態遷移応答チャネルセグメントは２８の変調シンボルを伝達する。加えて、無線端末スクランブリング識別子変調シンボルスクランブリングを用いるいくつかのアップリンク専用チャネルセグメントは、エアリンクリソース、例えば、トーンシンボルを含み、複数のＯＦＤＭシンボル送信時間間隔を通じて拡散し、および／または複数のトーンを用いる。例えば、一実施形態において、１つの専用制御チャネルセグメントは、２１のＯＦＤＭトーンシンボルを用い、セット当たり７つのＯＦＤＭトーンシンボルからなる３つのセットに細分化し、この７つのトーンシンボルからなる各セットに用いられる物理的トーンは、アップリンクトーンホッピング情報に従って、異ならせることができる。
【０１０２】
ステップ１８１４において、上記基地局は、前記第１の無線端末スクランブリング識別子を用いて、前記受信した変調シンボルからなる第１のセットを処理することにより、第１の情報復元動作を実行する。ステップ１８１４はサブステップ１８１８および１８２２を含む。サブステップ１８１８において、上記無線端末はアンスクランブリング動作を上記第１の無線端末スクランブリング識別子の関数として実行する。サブステップ１８１８はサブステップ１８２６を含む。サブステップ１８２６において、上記無線端末は、上記第１のセットの各受信した変調シンボルに対して、アンスクランブルされる上記受信した変調シンボルに対応する上記第１の無線端末スクランブリング識別子のビットに基づいて、アンスクランブリング動作に用いられる相回転の量を決める。いくつかの実施形態において、上記第１の無線端末スクランブリング識別子の対応するビットが０という値を有する場合、０度の相回転がアンスクランブルされる上記受信した変調シンボルに適用され、一方、上記第１の無線端末スクランブリング識別子の対応するビットが１という値を有する場合には、１８０度の相回転が上記アンスクランブルされる受信した変調シンボルに適用される。ステップ１８２２において、上記基地局は上記第１の無線端末スクランブリング識別子を用いて復号動作を実行し、上記第１の無線端末からの信号を検出し、および別の無線端末からの信号を雑音として処理し、前記別の無線端末は、上記第１の無線端末スクランブリング識別子とは異なる無線端末スクランブリング識別子を用いて、上記第１の専用アップリンクチャネルセグメントのエアリンクリソースに間違って送信する。
【０１０３】
ステップ１８１６において、上記基地局は、前記第２の無線端末スクランブリング識別子を用いて前記受信した変調シンボルからなる第２のセットを処理することにより、第２の情報復元動作を実行する。ステップ１８１６はサブステップ１８２０および１８２４を含む。サブステップ１８２０において、上記無線端末はアンスクランブリング動作を上記第２の無線端末スクランブリング識別子の関数として実行する。サブステップ１８２０はサブステップ１８２８を含む。サブステップ１８２８において、上記無線端末は、第２のセットの各受信した変調シンボルに対して、アンスクランブルされる上記受信した変調シンボルに対応する上記第２の無線端末スクランブリング識別子のビットに基づいて、アンスクランブリング動作に用いられる相回転の量を決める。いくつかの実施形態において、上記第２の無線端末スクランブリング識別子の対応するビットが０という値を有する場合、０度の相回転がアンスクランブルされる上記受信した変調シンボルに適用され、一方、上記第２の無線端末スクランブリング識別子の対応するビットが１という値を有する場合には、１８０度の相回転が上記アンスクランブルされる受信した変調シンボルに適用される。ステップ１８２４において、上記基地局は上記第２の無線端末スクランブリング識別子を用いて復号動作を実行し、上記第２の無線端末からの信号を検出し、および別の無線端末からの信号を雑音として処理し、前記別の無線端末は、上記第２の無線端末スクランブリング識別子とは異なる無線端末スクランブリング識別子を用いて、上記第２の専用アップリンクチャネルセグメントのエアリンクリソースに間違って送信する。
【０１０４】
図１９は、例示的なモジュールおよび信号の流れを示す、様々な実施形態に従って実施される例示的な無線端末１９００の図である。無線端末１９００は、符号化変調モジュール１９０１、スクランブリングモジュール１９０２、および、アップサンプリングおよび周波数変調モジュール１９０３を含む。符号化変調モジュール１９０１は伝送される入力情報ビット１９０４を受信し、変調シンボル１９０５、例えば、セグメントに対応するインデックス付きの変調シンボルからなるセットを出力する。スクランブリングモジュール１９０２は、上記無線端末に関連付けられた無線端末スクランブリング識別子および上記無線端末スクランブリング識別子のビットをセグメント内のインデックス付きの変調シンボルに関連付ける情報等の制御情報１９０６を用いて、スクランブルされた、例えば、相回転した変調シンボル１９０７を生成する。スクランブリングモジュール１９０２は、変調シンボルごとにスクランブリングを実行する。上記スクランブリングモジュールは、所定の種類の専用アップリンクチャネルセグメント、例えば、アップリンクトラヒック応答チャネルセグメント、アップリンク専用制御チャネルセグメント、アップリンク状態遷移要求セグメントおよびアップリンク状態遷移要求応答セグメントに対して、スクランブリングを実行する。スクランブルされた変調シンボル１９０７は、アップサンプリングおよび周波数変調モジュール１９０３によって処理され、例えば、上記無線端末により、エアリンクを通じて送信されるアップリンク信号を生じる。
【０１０５】
例示的な無線端末１９００は、例えば、符号化変調モジュール１９０１が無線端末の制御ルーチン３２４に含まれている別のモジュールであり、スクランブリングモジュール１９０２がスクランブリングモジュール３３０に相当し、およびアップサンプリングおよび周波数変調モジュール１９０３が、送信モジュール３０４の一部として含まれている図３の例示的な無線端末３００とすることができる。
【０１０６】
様々な実施形態の方法は、ソフトウェア、ハードウェアおよび／またはソフトウェアとハードウェアの組合せを用いて実施することができる。様々な実施形態は、装置、例えば、移動端末、基地局、通信システム等の移動ノードに向けられる。また、様々な実施形態は、方法、例えば、移動ノード、基地局および／または通信システム、例えば、ホストを制御および／または作動させる方法にも向けられる。また、様々な実施形態は、機械可読媒体、例えば、機械を制御して、１つ以上のステップを実行する機械可読命令を含むＲＯＭ、ＲＡＭ、ＣＤ、ハードディスクにも向けられる。
【０１０７】
様々な実施形態において、本願明細書に記載されているノードは、１つ以上の方法に対応するステップ、例えば、信号処理、メッセージ生成および／または送信ステップを実行する１つ以上のモジュールを用いて実施される。従って、いくつかの実施形態において、様々な特徴は、これらのモジュールを用いて実施される。このようなモジュールは、ソフトウェア、ハードウェアまたはソフトウェアとハードウェアの組合せを用いて実施することができる。上述した方法または方法ステップの多くは、例えば、１つ以上のノードにおいて、上述した方法の全てまたは一部を実施するために、記憶デバイス、例えば、機械、例えば、追加的なハードウェアを伴うまたは伴わない汎用コンピュータを制御するための、ＲＡＭ、フロッピー（登録商標）ディスク等の機械可読媒体に含まれている機械実行可能命令を用いて実施することができる。従って、特に、様々な実施形態は、機械、例えば、プロセッサおよび付随するハードウェアに、上述した方法のステップのうちの１つ以上を実行させる機械実行可能命令を含む機械可読媒体に向けられる。
【０１０８】
ＯＦＤＭシステムとの関連で説明してきたが、様々な実施形態の方法および装置のうちの少なくともいくつかは、複数の非ＯＦＤＭおよび／または非セルラシステムを含む幅広い通信システムに適用可能である。
【０１０９】
上述した様々な実施形態の方法および装置に対する多くの追加的な変形例は、当業者には、上記の説明に照らして明白であろう。このような変形例は、本発明の範囲内であると考えるべきである。様々な実施形態の方法および装置は、様々な実施形態において、ＣＤＭＡ、直交周波数分割多重（ＯＦＤＭ）および／またはアクセスノードと移動ノードとの間に無線通信リンクを提供するのに用いることのできる様々な他の種類の通信方法と共に用いることができる。いくつかの実施形態において、上記アクセスノードは、ＯＦＤＭおよび／またはＣＤＭＡを用いて移動ノードと通信リンクを確立する基地局として実施される。様々な実施形態において、上記移動ノードは、ノートブックコンピュータ、ＰＤＡ、または、様々な実施形態の方法を実施するレシーバ／トランスミッタ回路および論理および／またはルーチンを含む他の携帯機器として実施される。
【図面の簡単な説明】
【０１１０】
【図１】様々な実施形態に従って実施される例示的な通信システムの図である。
【図２】様々な実施形態に従って実施される例示的な基地局、例えば、アクセスノードの図である。
【図３】様々な実施形態に従って実施される例示的な無線端末、例えば、移動ノードの図である。
【図４】様々な実施形態による例示的な無線端末スクランブル識別子を記載した図である。
【図５】例示的な実施形態の場合の順序付けされたアップリンクトラヒック応答チャネル変調シンボルの各々を有する順序付けされた無線端末スクランブル識別ビットの各々の間の例示的なマッピング関連性を示す図である。
【図６】様々な実施形態による例示的な変調シンボルスクランブリングを示す図である。
【図７】様々な例示的な変調シンボルスクランブリングを示す図である。
【図８】様々な実施形態による別の例示的な変調シンボルスクランブリングを示す図である。
【図９】例示的な実施形態における例示的なセグメントの場合の順序付けされた無線端末アップリンク専用制御チャネル変調シンボルの各々を有する順序付けされた無線端末スクランブリング識別ビットのセットのサブセットの各々の間の例示的なマッピング関連性を示す図である。
【図１０】様々な実施形態による例示的な変調シンボルスクランブリングを示す図である。
【図１１】例示的な実施形態における例示的なセグメントの場合の順序付けされた無線端末状態要求チャネル変調シンボルの各々を有する順序付けされた無線端末スクランブリング識別ビットのセットのサブセットの各々の間の例示的なマッピング関連性を示す図である。
【図１２】様々な実施形態による例示的な変調シンボルスクランブリングを示す図である。
【図１３】例示的な実施形態の場合の順序付けされたアップリンク状態遷移応答セグメント変調シンボルの各々を有する順序付けされた無線端末スクランブリング識別ビットの各々の間の例示的なマッピング関連性を示す図である。
【図１４】様々な実施形態による例示的な変調シンボルスクランブリングを示す図である。
【図１５】様々な実施形態による無線端末を作動させる例示的な方法のフローチャートである。
【図１６】例示的な実施形態における例示的なセグメントの場合の順序付けされた無線端末アップリンク専用制御チャネル変調シンボルの各々を有する順序付けされた無線端末スクランブリング識別ビットからなるペアの間の例示的なマッピング関連性を示す図である。
【図１７】様々な実施形態による入力変調シンボルごとに２つの無線端末スクランブリング識別子ビットを用いる例示的な変調シンボルスクランブリングを示す図である。
【図１８】図１８Ａと図１８Ｂの組み合わせを示す図である。
【図１８Ａ】様々な実施形態による基地局を作動させる例示的な方法のフローチャートである。
【図１８Ｂ】様々な実施形態による基地局を作動させる例示的な方法のフローチャートである。
【図１９】例示的なモジュールおよび信号の流れを示す、様々な実施形態に従って実施される例示的な無線端末の図である。
【図１】
2009533981.tif 000003
【図２】
2009533981.tif 000004
【図３】
2009533981.tif 000005
【図４】
2009533981.tif 000006
【図５】
2009533981.tif 000007
【図６】
2009533981.tif 000008
【図７】
2009533981.tif 000009
【図８】
2009533981.tif 000010
【図９】
2009533981.tif 000011
【図１０】
2009533981.tif 000012
【図１１】
2009533981.tif 000013
【図１２】
2009533981.tif 000014
【図１３】
2009533981.tif 000015
【図１４】
2009533981.tif 000016
【図１５】
2009533981.tif 000017
【図１６】
2009533981.tif 000018
【図１７】
2009533981.tif 000019
【図１８】
2009533981.tif 000020
【図１８Ａ】
2009533981.tif 000021
【図１８Ｂ】
2009533981.tif 000022
【図１９】
2009533981.tif 000023
【国際調査報告】
2009533981.tif 000024
2009533981.tif 000025
2009533981.tif 000026